(57)【特許請求の範囲】
【請求項１】
クロスコネクト情報を用いて、ＧＭＰＬＳ機能のシグナリングメッセージを複数のノード間で送受信する伝送装置であって、
ＧＭＰＬＳ管理下への移行要求時に特定のクロスコネクト情報を取得し、取得されたクロスコネクト情報により示される入出力経路情報を、ＧＭＰＬＳ管理下に移行する移行対象クロスコネクトとして予約する第一の移行予約手段と、
前記シグナリングメッセージの送信先となる自ノードより下位に位置する下位隣接ノードを、前記クロスコネクト情報を含むパス情報から特定し、前記シグナリングメッセージにおいて自ノードの出力側となるクロスコネクト情報と自ノードを一意に識別する識別子情報とから構成されるオブジェクト情報をシグナリングメッセージに付加して、特定された下位隣接ノードに送信する第一の送信手段と、
を有することを特徴とする伝送装置。
【請求項２】
自ノードより上位に位置する上位隣接ノードから受信されたオブジェクト情報が付加されたシグナリングメッセージに基づいて、自ノードが中間ノードであると判定された場合に、当該シグナリングメッセージによって特定されるクロスコネクト情報を取得し、取得されたクロスコネクト情報により示される入出力経路情報を、前記ＧＭＰＬＳ管理下に移行する移行対象クロスコネクトとして予約する第二の移行予約手段と、
前記受信されたシグナリングメッセージの新たな送信先となる下位隣接ノードを、前記クロスコネクト情報を含むパス情報から特定し、当該シグナリングメッセージにおいて自ノードの出力側となるクロスコネクト情報と自ノードを一意に識別する識別子情報とから構成されるオブジェクト情報をシグナリングメッセージにさらに付加して、特定された下位隣接ノードに送信する第二の送信手段と、
をさらに有することを特徴とする請求項１に記載の伝送装置。
【請求項３】
自ノードより上位に位置する上位隣接ノードから受信されたオブジェクト情報が付加されたシグナリングメッセージに基づいて、自ノードが終点ノードであると判定された場合に、当該シグナリングメッセージをリザーブメッセージとして前記上位隣接ノードに送信するとともに、当該シグナリングメッセージによって特定されるクロスコネクト情報を取得し、取得されたクロスコネクト情報により示される経路をＧＭＰＬＳ管理下に移行する第一の管理移行手段と、
自ノードより下位に位置する下位隣接ノードから受信されたシグナリングメッセージに基づいて、自ノードが中間ノードであると判定された場合に、当該シグナリングメッセージを上位隣接ノードに送信するとともに、前記第二の移行予約手段により移行予約された経路を示す移行対象クロスコネクトをＧＭＰＬＳ管理下に移行する第二の管理移行手段と、
自ノードより下位に位置する下位隣接ノードから受信されたシグナリングメッセージに基づいて、自ノードが始点ノードであると判定された場合に、当該シグナリングメッセージに付加されているオブジェクト情報を取得するとともに、前記第一の移行予約手段により移行予約された経路を示す移行対象クロスコネクトをＧＭＰＬＳ管理下に移行する第三の管理移行手段と、
をさらに有することを特徴とする請求項２に記載の伝送装置。
【請求項４】
クロスコネクト情報を用いて、ＧＭＰＬＳ機能のシグナリングメッセージを複数のノード間で送受信する伝送装置に適した伝送方法であって、
ＧＭＰＬＳ管理下への移行要求時に特定のクロスコネクト情報を取得し、取得されたクロスコネクト情報により示される入出力経路情報を、ＧＭＰＬＳ管理下に移行する移行対象クロスコネクトとして予約する第一の移行予約工程と、
前記シグナリングメッセージの送信先となる自ノードより下位に位置する下位隣接ノードを、前記クロスコネクト情報を含むパス情報から特定し、前記シグナリングメッセージにおいて自ノードの出力側となるクロスコネクト情報と自ノードを一意に識別する識別子情報とから構成されるオブジェクト情報をシグナリングメッセージに付加して、特定された下位隣接ノードに送信する第一の送信工程と、
を含んだことを特徴とする伝送方法。
【請求項５】
自ノードより上位に位置する上位隣接ノードから受信されたオブジェクト情報が付加されたシグナリングメッセージに基づいて、自ノードが中間ノードであると判定された場合に、当該シグナリングメッセージによって特定されるクロスコネクト情報を取得し、取得されたクロスコネクト情報により示される入出力経路情報を、前記ＧＭＰＬＳ管理下に移行する移行対象クロスコネクトとして予約する第二の移行予約工程と、
前記受信されたシグナリングメッセージの新たな送信先となる下位隣接ノードを、前記クロスコネクト情報を含むパス情報から特定し、当該シグナリングメッセージにおいて自ノードの出力側となるクロスコネクト情報と自ノードを一意に識別する識別子情報とから構成されるオブジェクト情報をシグナリングメッセージにさらに付加して、特定された下位隣接ノードに送信する第二の送信工程と、
をさらに含んだことを特徴とする請求項４に記載の伝送方法。
【請求項６】
自ノードより上位に位置する上位隣接ノードから受信されたオブジェクト情報が付加されたシグナリングメッセージに基づいて、自ノードが終点ノードであると判定された場合に、当該シグナリングメッセージをリザーブメッセージとして前記上位隣接ノードに送信するとともに、当該シグナリングメッセージによって特定されるクロスコネクト情報を取得し、取得されたクロスコネクト情報により示される経路をＧＭＰＬＳ管理下に移行する第一の管理移行工程と、
自ノードより下位に位置する下位隣接ノードから受信されたシグナリングメッセージに基づいて、自ノードが中間ノードであると判定された場合に、当該シグナリングメッセージを上位隣接ノードに送信するとともに、前記第二の移行予約工程により移行予約された経路を示す移行対象クロスコネクトをＧＭＰＬＳ管理下に移行する第二の管理移行工程と、
自ノードより下位に位置する下位隣接ノードから受信されたシグナリングメッセージに基づいて、自ノードが始点ノードであると判定された場合に、当該シグナリングメッセージに付加されているオブジェクト情報を取得するとともに、前記第一の移行予約工程により移行予約された経路を示す移行対象クロスコネクトをＧＭＰＬＳ管理下に移行する第三の管理移行工程と、
をさらに含んだことを特徴とする請求項５に記載の伝送方法。
【発明の詳細な説明】
【技術分野】
【０００１】
本発明は、クロスコネクト情報を用いて、ＧＭＰＬＳ機能のシグナリングメッセージを複数のノード間で送受信する伝送装置、伝送方法および伝送プログラムに関する。
【背景技術】
【０００２】
従来より、ネットワークを管理するネットワーク管理者により、任意の伝送路から任意の伝送路への接続や分岐などのパス設定を行なうクロスコネクト設定が、全ての装置（ノード）に対して行なわれることによって、当該ネットワークを構成する各装置間のＥｎｄ−ｔｏ−Ｅｎｄのパス確立がなされている。
【０００３】
また、最近では、ＩＰ網にラベルスイッチの概念を導入することでパスによる網の運用を可能とするＭＰＬＳ（Multi-Protocol  Label  Switching）が利用されている。そして、ＩＰ網だけでなく、光ファイバを用いた高速デジタル通信方式の国際規格であるＳＤＨ（Synchronous  Digital  Hierarchy）／ＳＯＮＥＴ（Synchronous  Optical  NETwork）におけるＴＤＭ（Time  Division  Multiplexing）網やＷＤＭ（Wavelength  Division  Multiplexing）網などを含むパス網の運用を自律分散的に行なう技術としてＧＭＰＬＳ（Generalized  Multi-Protocol  Label  Switching）がある（特許文献１と特許文献２参照）。このＧＭＰＬＳ技術は、ＩＥＴＦ（Internet  Engineering  Task  Force）のＣＣＡＭＰ（Common  Control  and  Measurement  Plane）−ＷＧ（Working  Group）ＯＩＦ（Optical  Internetworking  Forum）や、ＩＴＵ（International  Telecommunication  Union）などで議論されて標準化作業が進められており、その一部が実用化されつつある（非特許文献１と非特許文献２参照）。
【０００４】
ここで、上記したＳＤＨ／ＳＯＮＥＴにおけるＴＤＭ網やＷＤＭ網などを含むパス網の運用を自律分散的に行なうＧＭＰＬＳによる各装置間のＥｎｄ−ｔｏ−Ｅｎｄのパス確立について、図１６を用いて説明する。図１６は、ＧＭＰＬＳによる各装置間のＥｎｄ−ｔｏ−Ｅｎｄの双方向パスの生成シーケンスを示す図である。図１６に示すように、伝送装置Ａ〜伝送装置Ｄは、ＴＤＭ装置やＷＤＭ装置などの伝送装置である。このような伝送装置Ａ〜伝送装置Ｄ間において、ＧＭＰＬＳ機能を用いてＥｎｄ−ｔｏ−Ｅｎｄのパスを新規に設定する場合に、ネットワーク管理者により始点ノード（伝送装置Ａ）と終点ノード（伝送装置Ｄ）とが指定される。そして、伝送装置Ａ〜伝送装置Ｄは、指定された始点と終点との情報から、経路計算やクロスコネクト設定などを自動的に行なってパスを確立する。
【０００５】
具体的に説明すると、始点ノードである伝送装置Ａは、当該伝送装置Ａにおいて始点ノードと終点ノードとがネットワーク管理者などにより指定されると、伝送装置Ａ〜伝送装置Ｄ間の経路情報（ＥＲＯ：Explicit＿Route  Object）や要求する帯域情報などを指定したパスメッセージ（ＰａｔｈＭｓｇ：図１７（１）および図１８（１）参照）を伝送装置Ｂに対して送信する（図１６の（１）参照）。
【０００６】
そして、伝送装置Ａからパスメッセージを受信した中間ノードである伝送装置Ｂは、該当する経路情報や帯域情報などを予約状態として、伝送装置Ａと同様に、パスメッセージを伝送装置Ｃに対して送信する。続いて、伝送装置Ｂからパスメッセージを受信した中間ノードである伝送装置Ｃは、伝送装置Ｂと同様の処理を行って、パスメッセージを伝送装置Ｄに対して送信する。
【０００７】
その後、伝送装置Ｃからパスメッセージを受信した終点ノードである伝送装置Ｄは、当該パスメッセージに対する応答メッセージであるリザーブメッセージ（ＲｅｓｖＭｓｇ：図１７（２）および図１８（２）参照）を伝送装置Ｃに対して送信するとともに、自ノードに対してパス設定（クロスコネクト設定）を実施する（図１６の（２）参照）。
【０００８】
そして、伝送装置Ｄからリザーブメッセージを受信した中間ノードである伝送装置Ｃは、伝送装置Ｄと同様に、リザーブメッセージを伝送装置Ｂに対して送信するとともに、自ノードに対してパス設定を実施する。続いて、伝送装置Ｃからリザーブメッセージを受信した中間ノードである伝送装置Ｂは、伝送装置Ｃと同様の処理を行って、リザーブメッセージを伝送装置Ａに対して送信するとともに、自ノードに対してパス設定を実施する。その後、伝送装置Ｂからリザーブメッセージを受信した始点ノードである伝送装置Ａは、自ノードに対してパス設定を実施する。この結果、伝送装置Ａ〜伝送装置Ｄ間の双方向のパス設定が完了する。なお、図１７は、ＧＭＰＬＳに用いられる一般的なシグナリングメッセージを示す図であり、図１８は、ＧＭＰＬＳに用いられる一般的なシグナリングメッセージの内容を示す図である。
【０００９】
【特許文献１】特開２００５−２０５７２号公報
【特許文献２】特開２００６−２８７４０３号公報
【非特許文献１】ＲＦＣ (Request  For  Comment)３４７１
【非特許文献２】ＲＦＣ (Request  For  Comment)３４７３
【発明の開示】
【発明が解決しようとする課題】
【００１０】
しかしながら、上記した従来の技術は、ＧＭＰＬＳ管理下にパスを移行する間、ネットワークサービスを一度切断する必要があるために、ネットワークサービスを提供できない時間が発生するという課題があった。
【００１１】
具体的には、ＧＭＰＬＳ機能を実装する前から存在する既存パスは、ＧＭＰＬＳ機能によって確立するパスとして管理することができない。そのため、既存パスが確立されたネットワークにＧＭＰＬＳ機能を実装する場合には、既存パスを形成するクロスコネクト設定を全て削除した上で既存パスに対応するパスをＧＭＰＬＳ機能にて登録および設定を行なう必要がある。この結果、ＧＭＰＬＳ管理下にパスを移行する間、ネットワークサービスを一度切断する必要があるために、ネットワークサービスを提供できない時間が発生する。
【００１２】
そこで、本発明は、上述した従来技術の課題を解決するためになされたものであり、既存のパスをＧＭＰＬＳ管理下に移行する場合に、ネットワークサービスを継続して提供することが可能である伝送装置、伝送方法および伝送プログラムを提供することを目的とする。
【課題を解決するための手段】
【００１３】
上述した課題を解決し、目的を達成するため、本願の開示する伝送装置は、クロスコネクト情報を用いて、ＧＭＰＬＳ機能のシグナリングメッセージを複数のノード間で送受信する伝送装置であって、ＧＭＰＬＳ管理下への移行要求時に特定のクロスコネクト情報を取得し、取得されたクロスコネクト情報により示される入出力経路情報を、ＧＭＰＬＳ管理下に移行する移行対象クロスコネクトとして予約する第一の移行予約手段と、前記シグナリングメッセージの送信先となる自ノードより下位に位置する下位隣接ノードを、前記クロスコネクト情報を含むパス情報から特定し、前記シグナリングメッセージにおいて自ノードの出力側となるクロスコネクト情報と自ノードを一意に識別する識別子情報とから構成されるオブジェクト情報をシグナリングメッセージに付加して、特定された下位隣接ノードに送信する第一の送信手段と、を備えたことを要件とする。
【発明の効果】
【００１４】
本願の開示する伝送装置によれば、既存のパスをＧＭＰＬＳ管理下に移行する場合に、ネットワークサービスを継続して提供することが可能であるという効果を奏する。
【発明を実施するための最良の形態】
【００１５】
以下に添付図面を参照して、本発明に係る伝送装置の実施例を詳細に説明する。なお、以下では、本発明に係る伝送装置の概要および特徴、伝送装置の構成および処理の流れを順に説明し、最後に本実施例による効果を説明する。
【実施例１】
【００１６】
［概要および特徴］
最初に、図１を用いて、実施例１に係る伝送装置の概要および特徴を説明する。図１は、実施例１に係る伝送装置の概要および特徴を示す図である。
【００１７】
本願の開示する伝送装置を含むネットワークは、伝送装置Ａ、伝送装置Ｂ、伝送装置Ｃおよび伝送装置Ｄを有する。本実施例では、伝送装置Ａを始点ノードとし、伝送装置Ｂおよび伝送装置Ｃを中間ノード、伝送装置Ｄを終点ノードとした例について説明する。また、各伝送装置は、ネットワークを構成するパス情報を所定の記憶部に記憶している。具体的には、パス情報として、自ノードの情報を示す「自ノード情報」と、自ノードに対する対向ノードの情報を示す「リンク情報」と、自ノードの入出力経路情報を示す「クロスコネクト情報」とを記憶している。
【００１８】
また、本実施例で説明する各伝送装置は、ＧＭＰＬＳ機能を搭載しており、当該ＧＭＰＬＳ機能を用いてパス確立のためにやり取りされる情報であるシグナリングメッセージを送受信するＴＤＭ装置やＷＤＭ装置などであり、例えば、ＧＭＰＬＳのＬＭＰ（Link  Management  Protocol）機能により収集された自ノードが持つリンクに接続されている隣接ノードの情報を保持している。
【００１９】
また、各伝送装置は、ＧＭＰＬＳ機能を利用して上位ノードである伝送装置から下位ノードである伝送装置にシグナリングメッセージとしてパスメッセージ（ＰａｔｈＭｓｇ）を送信し、下位ノードである伝送装置から上位ノードである伝送装置にシグナリングメッセージとしてリザーブメッセージ（ＲｅｓｖＭｓｇ）を送信する。例えば、伝送装置Ａは、下位ノードである伝送装置にパスメッセージを送信し、伝送装置Ｄは、上位ノードである伝送装置にリザーブメッセージを送信する。
【００２０】
なお、本実施例で説明するネットワークは、伝送装置Ａ〜伝送装置Ｄの４つのノードに限定されるものではなく、５つ以上の複数の伝送装置から構成されていてもよい。また、伝送装置を含むネットワークは、伝送装置Ａを始点ノードとして説明するが、伝送装置Ａに接続される伝送装置Ｂ以外の異なる伝送装置に接続され、当該伝送装置Ａが中間ノードまたは終点ノードにもなり得る。また、以下では、ネットワークにおける処理の順序に沿って、まずパスメッセージを送信する始点ノードである伝送装置Ａ、次にパスメッセージを送信する中間ノードである伝送装置Ｂと伝送装置Ｃとの処理、そしてリザーブメッセージを送信する終点ノードである伝送装置Ｄの処理、続いてリザーブメッセージを受信する中間ノードである伝送装置Ｃと伝送装置Ｂとの処理、最後にリザーブメッセージを受信する始点ノードである伝送装置Ａの処理を説明する。
【００２１】
上記した構成において、伝送装置は、複数のノードを有するネットワークにおいて、自ノードの情報を示す自ノード情報と、自ノードに対する対向ノードの情報を示すリンク情報と、ネットワークの管理者により設定された自ノードの入出力経路情報を示すクロスコネクト情報とを所定の記憶部に保持し、所定の記憶部に保持されるクロスコネクト情報を用いて、ＧＭＰＬＳ機能のシグナリングメッセージを、複数のノード間で送受信することを概要とするものであり、特に、既存のパスをＧＭＰＬＳ管理下に移行する場合に、ネットワークサービスを継続して提供することが可能である点を主たる特徴とする。
【００２２】
この主たる特徴について具体的に説明すると、伝送装置は、ネットワークの管理者によってクロスコネクト情報をＧＭＰＬＳ管理下に移行する要求を示すＧＭＰＬＳ管理移行要求を受け付けた場合に、自ノードにおいてＧＭＰＬＳ管理下の対象となる入力側と出力側とのクロスコネクト情報を、所定の記憶部から取得する（図１の（１）参照）。
【００２３】
具体的に例を挙げると、伝送装置Ａは、ネットワークの管理者などによって既存のクロスコネクト情報をＧＭＰＬＳ管理下に移行する要求として、始点ノードである伝送装置Ａと終点ノードである伝送装置Ｄとの自ノード情報とクロスコネクト情報とを受け付ける。そして、ＧＭＰＬＳ管理移行要求を受け付けた伝送装置Ａは、受け付けた伝送装置Ａにおける入力側のクロスコネクト情報から、伝送装置Ａにおける出力側のクロスコネクト情報を、伝送装置ＡにおいてＧＭＰＬＳ管理移行対象となるクロスコネクト情報として、保持している既存パス情報から取得する。
【００２４】
そして、伝送装置は、取得されたクロスコネクト情報を、ＧＭＰＬＳ管理移行対象クロスコネクトとして予約する（図１の（２）参照）。上記した例で具体的に例を挙げると、伝送装置Ａは、取得された伝送装置Ａにおける入力側と出力側とのクロスコネクト情報を、伝送装置ＡにおけるＧＭＰＬＳ管理移行対象クロスコネクトとして予約する。
【００２５】
続いて、伝送装置は、ＧＭＰＬＳ管理移行対象クロスコネクトが予約された場合に、シグナリングメッセージの送信先となる下位隣接ノードを所定の記憶部に保持されているパス情報から特定し、クロスコネクト情報の自ノードにおける出力側のクロスコネクト情報と自ノードを一意に識別する識別子情報とから構成されるオブジェクト情報をシグナリングメッセージに追加して、特定された下位隣接ノードに送信する（図１の（３）参照）。
【００２６】
上記した例で具体的に例を挙げると、伝送装置Ａは、ＧＭＰＬＳ管理移行対象クロスコネクトが予約された場合に、出力側のクロスコネクト情報と一致する自ノード内のリンク情報をパス情報から検索して、パスメッセージの送信先となる下位隣接ノードを伝送装置Ｂと特定する。そして、伝送装置Ａは、伝送装置Ａにおける出力側のクロスコネクト情報と、伝送装置Ａを一意に識別する識別子情報（例えば、伝送装置Ａに保持されるＮｏｄｅＩＤなど）とから構成されるオブジェクト情報をパスメッセージに追加して、特定された下位隣接ノードである伝送装置Ｂに当該パスメッセージを送信する。
【００２７】
ここで、パスメッセージを送信する中間ノードである伝送装置Ｂの処理について説明する。始点ノードである伝送装置Ａからパスメッセージを受け付けた伝送装置Ｂは、伝送装置Ａから受信したパスメッセージのＥＸＰＬＩＣＩＴ＿ＲＯＵＴＥオブジェクト（図１７の（１）および図１８の（１）参照）に指定される終点ノードの識別子情報と、自ノード（伝送装置Ｂ）の識別子情報とを比較して、自ノード（伝送装置Ｂ）を中間ノードであると判定する。そして、伝送装置Ｂは、伝送装置Ｂにおける入力側のクロスコネクト情報から、伝送装置Ｂにおける出力側のクロスコネクト情報を、伝送装置Ｂにおいて保持している既存パス情報から取得する。続いて、伝送装置Ｂは、取得された伝送装置Ｂにおける入力側と出力側とのクロスコネクト情報を、伝送装置ＢにおけるＧＭＰＬＳ管理移行対象クロスコネクトとして予約する。その後、伝送装置Ｂは、ＧＭＰＬＳ管理移行対象クロスコネクトが予約された場合に、出力側のクロスコネクト情報と一致する自ノード内のリンク情報を既存パス情報から検索して、パスメッセージの送信先となる下位隣接ノード（伝送装置Ｃ）を特定する。そして、伝送装置Ｂは、伝送装置Ｂにおける出力側のクロスコネクト情報と、伝送装置Ｂを一意に識別する識別子情報とから構成されるオブジェクト情報をパスメッセージに追加して、特定された下位隣接ノードである伝送装置Ｃに当該パスメッセージを送信する。
【００２８】
ここで、パスメッセージを送信する中間ノードである伝送装置Ｃの処理を説明する。伝送装置Ｃは、伝送装置Ｂと同様の処理を行なって、伝送装置Ｃにおける入力側と出力側とのクロスコネクト情報を取得して、伝送装置ＣにおけるＧＭＰＬＳ管理移行対象クロスコネクトとして予約し、伝送装置Ｃにおける出力側のクロスコネクト情報と、伝送装置Ｃを一意に識別する識別子情報とから構成されるオブジェクト情報をパスメッセージに追加して、下位隣接ノードである伝送装置Ｄに当該パスメッセージを送信する。
【００２９】
その後、伝送装置は、送信されて受信したシグナリングメッセージに基づいて、自ノードが終点ノードであると判定された場合に、オブジェクト情報が追加されているシグナリングメッセージを上位隣接ノードに送信するとともに、自ノードのクロスコネクト情報を所定の記憶部に保持されるクロスコネクト情報から取得し、取得されたクロスコネクト情報をＧＭＰＬＳ管理下に移行する（図１の（４）参照）。
【００３０】
上記した例で具体的に例を挙げると、伝送装置Ｄは、隣接する上位ノードである伝送装置Ｃに送信されて受信したパスメッセージのＥＸＰＬＩＣＩＴ＿ＲＯＵＴＥオブジェクトに指定される終点ノードの識別子情報と、自ノードの識別子情報とを比較して、自ノード（伝送装置Ｄ）が終点ノードであると判定する。
【００３１】
そして、伝送装置Ｄは、各上位ノードの出力側のクロスコネクト情報と、各上位ノードを一意に識別する識別子情報とから構成されるオブジェクト情報が追加されているシグナリングメッセージを、リザーブメッセージとして隣接する上位ノードである伝送装置Ｃに対して送信する。続いて、伝送装置Ｄは、伝送装置Ｄにおける入力側と出力側とのクロスコネクト情報を取得して、伝送装置ＤにおけるＧＭＰＬＳ管理移行対象クロスコネクトとして更新して、既存パス管理下からＧＭＰＬＳのパス管理下にパス管理を移行する。
【００３２】
そして、伝送装置は、送信されて受信したシグナリングメッセージに基づいて、自ノードが中間ノードであると判定された場合に、オブジェクト情報が追加されているシグナリングメッセージを上位隣接ノードに送信するとともに、予約されたＧＭＰＬＳ管理移行対象クロスコネクトをＧＭＰＬＳ管理下に移行する（図１の（５）参照）。
【００３３】
上記した例で具体的に例を挙げると、伝送装置Ｃは、隣接する下位ノードである伝送装置Ｄに送信されて受信したリザーブメッセージの各ノードの出力側のクロスコネクト情報と、各ノードを一意に識別する識別子情報とから構成されるオブジェクト情報に基づいて自ノード（伝送装置Ｃ）を中間ノードであると判定する。そして、伝送装置Ｃは、各ノードのオブジェクト情報が追加されているシグナリングメッセージを、リザーブメッセージとして隣接する上位ノードである伝送装置Ｂに対して送信する。続いて、伝送装置Ｃは、パスメッセージ受信時に予約されたＧＭＰＬＳ管理移行対象クロスコネクトを更新して、既存パス管理下からＧＭＰＬＳのパス管理下にパス管理を移行する。
【００３４】
ここで、リザーブメッセージを受信する中間ノードである伝送装置Ｂの処理を説明する。伝送装置Ｂは、伝送装置Ｃと同様の処理を行なって、伝送装置Ｃからリザーブメッセージを受信すると、各ノードの出力側のクロスコネクト情報と、各ノードを一意に識別する識別子情報とから構成されるオブジェクト情報が追加されているシグナリングメッセージを、リザーブメッセージとして伝送装置Ａに対して送信する。そして、伝送装置Ｂは、パスメッセージ受信時に予約されたＧＭＰＬＳ管理移行対象クロスコネクトを更新して、既存パス管理下からＧＭＰＬＳのパス管理下にパス管理を移行する。
【００３５】
続いて、伝送装置は、送信されて受信したシグナリングメッセージに基づいて、自ノードが始点ノードであると判定された場合に、オブジェクト情報を、受け付けたシグナリングメッセージから取得するとともに、予約されたＧＭＰＬＳ管理移行対象クロスコネクトをＧＭＰＬＳ管理下に移行する（図１の（６）参照）。
【００３６】
上記した例で具体的に例を挙げると、伝送装置Ａは、隣接する下位ノードである伝送装置Ｂに送信されて受信したリザーブメッセージの各ノードの出力側のクロスコネクト情報と、各ノードを一意に識別する識別子情報とから構成されるオブジェクトに基づいて自ノード（伝送装置Ａ）を始点ノードであると判定する。そして、伝送装置Ａは、オブジェクト情報をリザーブメッセージから取得する。続いて、伝送装置Ａは、パスメッセージ送信時に予約されたＧＭＰＬＳ管理移行対象クロスコネクトを更新して、既存パス管理下からＧＭＰＬＳのパス管理下にパス管理を移行する。
【００３７】
上記したように、実施例１に係る伝送装置は、ネットワーク管理者により設定されたパスが存在するネットワークのパス管理をＧＭＰＬＳのパス管理下に移行する場合に、パスを移行するためのオブジェクトを追加したパスメッセージを送信するとともに、ＧＭＰＬＳ管理移行対象クロスコネクトを予約し、リザーブメッセージを送信するとともに、予約したＧＭＰＬＳ管理移行対象クロスコネクトを更新してパス管理を移行することができる結果、上記した主たる特徴のごとく、既存のパスをＧＭＰＬＳ管理下に移行する場合に、ネットワークサービスを継続して提供することが可能である。
【００３８】
つまり、伝送装置は、予約したＧＭＰＬＳ管理移行対象クロスコネクトを更新する場合に、当該クロスコネクトの削除や再生成などを一切行なうことなく管理状態を更新するので、従来技術のように既存パスを全て削除して新規にクロスコネクトを生成するのと比較して、ＧＭＰＬＳ機能を実装する前から存在している既存パスを、ネットワークサービスを切断させることなくＧＭＰＬＳ管理下にパスを移行して、ネットワークサービスを利用しているユーザへの影響をなくすことが可能である。
【００３９】
［実施例１に係る伝送装置の構成］
次に、図２を用いて、実施例１に係る伝送装置の構成を説明する。図２は、実施例１に係る伝送装置の構成を示す図である。なお、ネットワークにおける複数の伝送装置による処理の詳細な説明は、後述する図４〜図１２において説明することとして、ここでは、伝送装置による処理の概要について説明する。
【００４０】
図２に示すように、伝送装置Ａ１００は、監視装置１１０、装置制御ユニット１２０、通信制御ユニット１３０、インタフェース・クロスコネクトユニット１４０およびオーバヘッド終端ユニット１５０を有する。また、伝送装置Ａ１００は、当該伝送装置Ａ１００と同等の機能を有する隣接の伝送装置、または、光（ファイバ）接続される隣接の伝送装置やネットワークを統合管理するリモート監視装置などと相互通信可能に接続されている。なお、伝送装置Ａ１００を含むネットワークは、ネットワーク管理者により予めパスが手動で設定されているものとする。
【００４１】
監視装置１１０は、伝送装置Ａ１００に入力されるコマンドを制御する。具体的には、監視装置１１０は、ネットワーク管理者によりデータベースの更新や各伝送装置間のパス設定などが行なわれる場合に利用される。例えば、監視装置１１０は、伝送装置Ａ１００を含むネットワーク内において各ノード間のパスをＧＭＰＬＳによって設定する場合に、始点ノードと終点ノードとのＮｏｄｅＩＤ、ＬｉｎｋＩＤおよびＣｈ情報などの情報を受け付ける。
【００４２】
装置制御ユニット１２０は、既存パス情報ＤＢ１２１、ユーザＩ／Ｆ部１２２、ＣＰＵ間通信制御部１２３、コマンド処理部１２４、装置制御部１２５および警報制御部１２６から構成され、光主信号を処理する。
【００４３】
既存パス情報ＤＢ１２１は、ネットワーク管理者により予め設定されている既存パス情報を記憶している。例えば、既存パス情報ＤＢ１２１は、図３に示すように、自ノード情報である「自ノードＮｏｄｅＩＤ：１．１．１．１」および「自ノードＮｏｄｅＩＰ  ａｄｄｒｅｓ：１０．５．２０．１１」を記憶している。また、例えば、既存パス情報ＤＢ１２１は、Ｌｉｎｋ情報である「自ノード側ＬｉｎｋＩＤ：５」、「対向ノードＮｏｄｅＩＤ：３．３．３．３」、「対向ノードＮｏｄｅＩＰ  ａｄｄｒｅｓ：１０．５．２０．１３」および「対向ノードＬｉｎｋＩＤ：２」を記憶している。また、例えば、既存パス情報ＤＢ１２１は、クロスコネクト情報である「Ｆｒｏｍ側ＬｉｎｋＩＤ：３」、「Ｆｒｏｍ側Ｃｈ情報：４９」、「Ｔｏ側ＬｉｎｋＩＤ：５」、「Ｔｏ側Ｃｈ情報：１」および「帯域幅：ＳＴＳ１」を記憶している。なお、図３は、実施例１に係る既存パス情報ＤＢ１２１の例を示す図である。
【００４４】
ユーザＩ／Ｆ部１２２は、監視装置１１０と装置制御ユニット１２０とのネットワークを介して取得される各種情報に関する通信を制御する。例えば、ユーザＩ／Ｆ部１２２は、管理装置１１０が受け付けたコマンドを後述するコマンド処理部１２４に通知したり、後述する警報制御部１２６により制御される警報を監視装置１１０に通知したりする。
【００４５】
ＣＰＵ間通信制御部１２３は、装置制御ユニット１２０と通信制御ユニット１３０とのネットワークを介して取得される各種情報に関する通信を制御する。例えば、ＣＰＵ間通信制御部１２３は、更新された既存パス情報ＤＢ１２１の情報を通信制御ユニット１３０に通知する。
【００４６】
コマンド処理部１２４は、ネットワークの管理者によってクロスコネクト情報をＧＭＰＬＳ管理下に移行する要求を示すＧＭＰＬＳ管理移行要求を受け付けた場合に、自ノードにおいてＧＭＰＬＳ管理下の対象となる入力側と出力側とのクロスコネクト情報を、所定の記憶部から取得する。
【００４７】
具体的に例を挙げると、コマンド処理部１２４は、ネットワークの管理者などによって既存のクロスコネクト情報をＧＭＰＬＳ管理下に移行する要求として、監視装置１１０において入力された始点ノードと終点ノードとのＮｏｄｅＩＤ、ＬｉｎｋＩＤおよびＣｈ情報を受け付ける。そして、ＧＭＰＬＳ管理移行要求を受け付けたコマンド処理部１２４は、自ノードにおける入力側のクロスコネクト情報であるＬｉｎｋＩＤとＣｈ情報とから、自ノードにおける出力側のクロスコネクト情報であるＬｉｎｋＩＤとＣｈ情報とを、自ノードにおいてＧＭＰＬＳ管理移行対象となるクロスコネクト情報として、自ノードにおいて保持している既存パス情報ＤＢ１２１から取得する。
【００４８】
また、一般的に、コマンド処理部１２４は、監視装置１１０が受け付けたコマンドに応じた制御をしたり、装置制御ユニット１２０内や他ユニットなどから受け付けた信号を監視装置１１０に通知したりする。例えば、コマンド処理部１２４は、監視装置１１０が受け付けた既存パス情報ＤＢ１２１への登録に応じて、既存パス情報ＤＢ１２１を更新する。また、例えば、コマンド処理部１２４は、後述する警報制御部１２６から警報を受け付けると、ユーザＩ／Ｆ部１２２を介して監視装置１１０に通知する。
【００４９】
装置制御部１２５は、インタフェース・クロスコネクトユニット１４０を介して、他の装置との信号の接続を制御する。例えば、装置制御部１２５は、伝送装置Ａ１００と同等の機能を有する隣接する伝送装置と光接続によってパス設定を行なう場合に、インタフェース・クロスコネクトユニット１４０を介して信号の接続を制御する。
【００５０】
警報制御部１２６は、障害が発生した場合に、監視装置１１０に障害を通知する。例えば、警報制御部１２６は、他装置と接続されるネットワークのパスや伝送装置Ａ１００などを監視して、パス障害などが発生した場合に、発生したパス障害の場所を、既存パス情報ＤＢ１２１を参照しつつ、当該発生したパス障害（例えば、ＬＯＳなど）についてのパス障害警報を、コマンド処理部１２４とユーザＩ／Ｆ部１２２とを介して監視装置１１０に通知する。
【００５１】
通信制御ユニット１３０は、ＣＰＵ間通信制御部１３１、通信制御部１３２、ＤＣＣ制御部１３３、ＬＡＮ制御部１３４およびＧＭＰＬＳ制御部１３５から構成され、主に、ネットワークにおいて送受信されるシグナリングメッセージであるパスメッセージとリザーブメッセージとを制御する。
【００５２】
ＣＰＵ間通信制御部１３１は、通信制御ユニット１３０と装置制御ユニット１２０とのネットワークを介して取得される各種情報に関する通信を制御する。例えば、ＣＰＵ間通信制御部１３１は、装置制御ユニット１２０により送信される既存パス情報ＤＢ１２１の情報を受信する。
【００５３】
通信制御部１３２は、ＤＣＣ制御部１３３に接続され、ＤＣＣ制御部１３３は、オーバヘッドを終端し、インタフェース・クロスコネクトユニット１４０に接続されるオーバヘッド終端ユニット１５０と通信制御部１３２との間に接続され、データ通信チャネル（ＤＣＣ：Data  Communication  Channel）を制御する。また、ＬＡＮ制御部１３４は、ＬＡＮ（Local  Area  Network）による通信を制御する。なお、後述するＧＭＰＬＳ制御部１３５によるＧＭＰＬＳ制御用パケットの送受信は、データ通信チャネルまたはＬＡＮのいずれか一つを経由して行なわれる。
【００５４】
ＧＭＰＬＳ制御部１３５は、ネットワークを構成する伝送装置Ａ１００と、当該伝送装置Ａ１００と同等の機能を有する伝送装置とでやり取りされるパスメッセージとリザーブメッセージとを制御し、特に本発明と密接に関連するものとしては、移行予約部１３５ａ、メッセージ送受信部１３５ｂおよび管理移行部１３５ｃを有する。
【００５５】
移行予約部１３５ａは、コマンド処理部１２４により取得されたクロスコネクト情報を、ＧＭＰＬＳ管理移行対象クロスコネクトとして予約する。上記した例で具体的に説明すると、移行予約部１３５ａは、コマンド処理部１２４により取得された伝送装置Ａ１００における入力側と出力側とのクロスコネクト情報であるＬｉｎｋＩＤとＣｈ情報とを、伝送装置Ａ１００におけるＧＭＰＬＳ管理移行対象クロスコネクトとして予約する。
【００５６】
メッセージ送受信部１３５ｂは、移行予約部１３５ａによりＧＭＰＬＳ管理移行対象クロスコネクトが予約された場合に、シグナリングメッセージの送信先となる下位隣接ノードを既存パス情報ＤＢ１２１に保持されるリンク情報から特定し、クロスコネクト情報の自ノードにおける出力側のクロスコネクト情報と自ノードを一意に識別する識別子情報とから構成されるオブジェクト情報をシグナリングメッセージに追加して、特定された下位隣接ノードに送信する。
【００５７】
上記した例で具体的に説明すると、メッセージ送受信部１３５ｂは、移行予約部１３５ａによりＧＭＰＬＳ管理移行対象クロスコネクトが予約された場合に、出力側のクロスコネクト情報であるＬｉｎｋＩＤと一致する伝送装置Ａ１００内のリンク情報を既存パス情報ＤＢ１２１から検索して、パスメッセージの送信先となる下位隣接ノードを特定する。そして、メッセージ送受信部１３５ｂは、伝送装置Ａ１００における出力側のクロスコネクト情報であるＬｉｎｋＩＤと、Ｃｈ情報と、伝送装置Ａ１００を一意に識別する識別子情報であるＮｏｄｅＩＤとから構成されるオブジェクト情報をパスメッセージに追加して、特定された下位隣接ノードに当該パスメッセージを送信する。
【００５８】
管理移行部１３５ｃは、メッセージ送受信部１３５ｂにより送信されて受信したシグナリングメッセージに基づいて、自ノードが終点ノードであると判定された場合に、オブジェクト情報が追加されているシグナリングメッセージを上位隣接ノードに送信するとともに、自ノードのクロスコネクト情報を既存パス情報ＤＢ１２１に保持されるクロスコネクト情報から取得し、取得されたクロスコネクト情報をＧＭＰＬＳ管理下に移行する。
【００５９】
上記した例で具体的に説明すると、管理移行部１３５ｃは、メッセージ送受信部１３５ｂにより送信されて受信したパスメッセージのＥＸＰＬＩＣＩＴ＿ＲＯＵＴＥオブジェクトに指定される終点ノードのＮｏｄｅＩＤと、伝送装置Ａ１００のＮｏｄｅＩＤとを比較して、伝送装置Ａ１００が終点ノードであると判定する。
【００６０】
そして、管理移行部１３５ｃは、各上位ノードの出力側のＬｉｎｋＩＤと、Ｃｈ情報と、各上位ノードを一意に識別するＮｏｄｅＩＤとから構成されるオブジェクト情報が追加されているシグナリングメッセージを、リザーブメッセージとして隣接する上位ノードに対して送信する。続いて、管理移行部１３５ｃは、伝送装置Ａ１００における入力側と出力側とのＬｉｎｋＩＤとＣｈ情報とを取得して、伝送装置Ａ１００におけるＧＭＰＬＳ管理移行対象クロスコネクトとして更新して、既存パス管理下からＧＭＰＬＳのパス管理下にパス管理を移行する。
【００６１】
また、管理移行部１３５ｃは、自ノードが中間ノードであると判定された場合に、オブジェクト情報が追加されているシグナリングメッセージを上位隣接ノードに送信するとともに、移行予約部１３５ａにより予約されたＧＭＰＬＳ管理移行対象クロスコネクトをＧＭＰＬＳ管理下に移行する。
【００６２】
上記した例で具体的に説明すると、管理移行部１３５ｃは、受信したリザーブメッセージの各ノードの出力側のＬｉｎｋＩＤと、Ｃｈ情報と、各ノードを一意に識別するＮｏｄｅＩＤとから構成されるオブジェクト情報に基づいて伝送装置Ａ１００を中間ノードであると判定する。
【００６３】
そして、管理移行部１３５ｃは、オブジェクト情報が追加されているリザーブメッセージを隣接する上位ノードに対して送信する。続いて、管理移行部１３５ｃは、パスメッセージ受信時に移行予約部１３５ａにより予約されたＧＭＰＬＳ管理移行対象クロスコネクトを更新して、既存パス管理下からＧＭＰＬＳのパス管理下にパス管理を移行する。
【００６４】
また、管理移行部１３５ｃは、受信したシグナリングメッセージに基づいて、自ノードが始点ノードであると判定された場合に、オブジェクト情報を、受け付けたシグナリングメッセージから取得するとともに、移行予約部１３５ａにより予約されたＧＭＰＬＳ管理移行対象クロスコネクトをＧＭＰＬＳ管理下に移行する。
【００６５】
上記した例で具体的に説明すると、管理移行部１３５ｃは、受信したリザーブメッセージの各ノードの出力側のＬｉｎｋＩＤと、Ｃｈ情報と、各ノードを一意に識別するＮｏｄｅＩＤとから構成されるオブジェクト情報に基づいて伝送装置Ａ１００を始点ノードであると判定する。
【００６６】
そして、管理移行部１３５ｃは、オブジェクト情報をリザーブメッセージから取得する。続いて、管理移行部１３５ｃは、パスメッセージ送信時に移行予約部１３５ａにより予約されたＧＭＰＬＳ管理移行対象クロスコネクトを更新して、既存パス管理下からＧＭＰＬＳのパス管理下にパス管理を移行する。
【００６７】
［実施例１に係るＧＭＰＬＳ管理移行処理］
次に、図４〜図１２を用いて、実施例１に係るＧＭＰＬＳ管理移行処理を説明する。図４は、実施例１に係るネットワーク構成を示す図である。
【００６８】
この図４におけるネットワークは、伝送装置Ａ、伝送装置Ｂ、伝送装置Ｃ、伝送装置Ｄ、伝送装置Ｅおよび伝送装置Ｆを有する。そして、本実施例では、伝送装置Ａを始点ノードとして、伝送装置Ｃを中間ノード、伝送装置Ｅを終点ノードとして説明する。また、各伝送装置は、ネットワークを構成するパス情報を所定の記憶部に記憶しており、ＧＭＰＬＳ機能を用いてパスメッセージやリザーブメッセージなどを送受信する。なお、図５〜図１２においては、伝送装置Ａ、伝送装置Ｃおよび伝送装置Ｅを有するネットワークにおいてのＧＭＰＬＳ管理移行処理を、図４のネットワーク構成を利用して説明する。
【００６９】
（始点ノードによるパスメッセージ送信時のＧＭＰＬＳ管理移行処理）
図５は、実施例１に係るパスメッセージ送信時の伝送装置ＡのＧＭＰＬＳ管理移行処理を示すフローチャートである。図５に示すように、伝送装置Ａは、ネットワークの管理者によってクロスコネクト情報をＧＭＰＬＳ管理下に移行する要求を示すＧＭＰＬＳ管理移行要求を受け付けた場合に（ステップＳ１０１肯定）、自ノードにおいてＧＭＰＬＳ管理下の対象となる入力側と出力側とのクロスコネクト情報を、所定の記憶部から取得する（ステップＳ１０２）。
【００７０】
具体的に例を挙げると、伝送装置Ａは、ネットワークの管理者によってクロスコネクト情報をＧＭＰＬＳ管理下に移行する要求を示すＧＭＰＬＳ管理移行要求として、始点ノードである伝送装置ＡのＮｏｄｅＩＤ「１．１．１．１」、入力側ＬｉｎｋＩＤ「３」、入力側Ｃｈ情報「４９」と、終点ノードである伝送装置ＥのＮｏｄｅＩＤ「５．５．５．５」、出力側ＬｉｎｋＩＤ「１」、出力側Ｃｈ情報「４９」とを受け付ける。
【００７１】
そして、ＧＭＰＬＳ管理移行要求を受け付けた伝送装置Ａは、受け付けた伝送装置Ａにおける入力側のクロスコネクト情報であるＬｉｎｋＩＤ「３」とＣｈ情報「４９」とから、伝送装置Ａにおける出力側のクロスコネクト情報であるＬｉｎｋＩＤ「５」とＣｈ情報「１」とを、伝送装置ＡにおいてＧＭＰＬＳ管理移行対象となるクロスコネクト情報として、伝送装置Ａにおいて保持している既存パス情報ＤＢ１２１（図３参照）から取得する。
【００７２】
そして、伝送装置Ａは、取得されたクロスコネクト情報を、ＧＭＰＬＳ管理移行対象クロスコネクトとして予約する（ステップＳ１０３）。上記した例で具体的に説明すると、伝送装置Ａは、取得された伝送装置Ａにおける入力側のクロスコネクト情報であるＬｉｎｋＩＤ「３」と、Ｃｈ情報「４９」と、伝送装置Ａにおける出力側のクロスコネクト情報であるＬｉｎｋＩＤ「５」と、Ｃｈ情報「１」とのクロスコネクト情報を、伝送装置ＡにおけるＧＭＰＬＳ管理移行対象クロスコネクトとして予約する。
【００７３】
続いて、伝送装置Ａは、ＧＭＰＬＳ管理移行対象クロスコネクトが予約された場合に、シグナリングメッセージの送信先となる下位隣接ノードを所定の記憶部に保持されるリンク情報から特定し（ステップＳ１０４）、クロスコネクト情報の自ノードにおける出力側のクロスコネクト情報と自ノードを一意に識別する識別子情報とから構成されるオブジェクト情報をシグナリングメッセージに追加して、特定された下位隣接ノードに送信する（ステップＳ１０５）。
【００７４】
上記した例で具体的に説明すると、伝送装置Ａは、ＧＭＰＬＳ管理移行対象クロスコネクトが予約された場合に、出力側のクロスコネクト情報であるＬｉｎｋＩＤ「５」と一致する伝送装置Ａ内のリンク情報（ノードＡＬｉｎｋＩＤ「５」、対向ノードＮｏｄｅＩＤ「３．３．３．３」、ＮｏｄｅＩＰ「１０．５．２０．１３」、ＬｉｎｋＩＤ「２」）を既存パス情報ＤＢ１２１から検索して、パスメッセージの送信先となる下位隣接ノードである伝送装置Ｃを特定する。
【００７５】
そして、伝送装置Ａは、伝送装置Ａにおける出力側のクロスコネクト情報であるＬｉｎｋＩＤ「５」と、Ｃｈ情報「１」と、伝送装置Ａを一意に識別するＮｏｄｅＩＤ「１．１．１．１」とから構成されるオブジェクト情報をパスメッセージに追加して（図６参照）、特定された下位隣接ノードである伝送装置Ｃに当該パスメッセージを送信する。なお、図６は、実施例１に係る伝送装置Ａがパスメッセージに追加するオブジェクト情報の例を示した図である。
【００７６】
（中間ノードによるパスメッセージ送信時のＧＭＰＬＳ管理移行処理）
次に、図７を用いて、実施例１に係るパスメッセージ送信時の中間ノードのＧＭＰＬＳ管理移行処理を説明する。図７は、実施例１に係るパスメッセージ送信時の伝送装置ＣのＧＭＰＬＳ管理移行処理を示すフローチャートである。
【００７７】
図７に示すように、伝送装置Ｃは、上位隣接ノードから受け付けたシグナリングメッセージに基づいて自ノードが中間ノードであると判定された場合に（ステップＳ２０１肯定）、自ノードにおいてＧＭＰＬＳ管理下の対象となる入力側と出力側とのクロスコネクト情報を、所定の記憶部から取得する（ステップＳ２０２）。
【００７８】
上記した例で具体的に説明すると、伝送装置Ｃは、伝送装置Ａから受け付けたパスメッセージのＥＸＰＬＩＣＩＴ＿ＲＯＵＴＥオブジェクトに指定される終点ノードのＮｏｄｅＩＤ「５．５．５．５」と、伝送装置ＣのＮｏｄｅＩＤ「３．３．３．３」とを比較して、自ノード（伝送装置Ｃ）を中間ノードであると判定する。
【００７９】
そして、伝送装置Ｃは、伝送装置Ｃにおける入力側のクロスコネクト情報であるＬｉｎｋＩＤ「２」とＣｈ情報「１」とから、伝送装置Ｃにおける出力側のクロスコネクト情報であるＬｉｎｋＩＤ「２０」とＣｈ情報「１」とを、伝送装置Ｃにおいて保持している既存パス情報ＤＢ１２１から取得する。
【００８０】
そして、伝送装置Ｃは、取得されたクロスコネクト情報を、ＧＭＰＬＳ管理移行対象クロスコネクトとして予約する（ステップＳ２０３）。上記した例で具体的に説明すると、伝送装置Ｃは、取得された伝送装置Ｃにおける入力側のクロスコネクト情報であるＬｉｎｋＩＤ「２」と、Ｃｈ情報「１」と、伝送装置Ｃにおける出力側の情報であるＬｉｎｋＩＤ「２０」と、Ｃｈ情報「１」とのクロスコネクト情報を、伝送装置ＣにおけるＧＭＰＬＳ管理移行対象クロスコネクトとして予約する。
【００８１】
続いて、伝送装置Ｃは、ＧＭＰＬＳ管理移行対象クロスコネクトが予約された場合に、シグナリングメッセージの送信先となる下位隣接ノードを所定の記憶部に保持されるリンク情報から特定し（ステップＳ２０４）、クロスコネクト情報の自ノードにおける出力側のクロスコネクト情報と自ノードを一意に識別する識別子情報とから構成されるオブジェクト情報をシグナリングメッセージに追加して、特定された下位隣接ノードに送信する（ステップＳ２０５）。
【００８２】
上記した例で具体的に説明すると、伝送装置Ｃは、ＧＭＰＬＳ管理移行対象クロスコネクトが予約された場合に、出力側のクロスコネクト情報であるＬｉｎｋＩＤ「２０」と一致する伝送装置Ｃ内のリンク（ノードＣＬｉｎｋＩＤ「２０」、対向ノードＮｏｄｅＩＤ「５．５．５．５」、ＮｏｄｅＩＰ「１０．５．２０．１５」、ＬｉｎｋＩＤ「１００」）を既存パス情報ＤＢ１２１から検索して、パスメッセージの送信先となる下位隣接ノードである伝送装置Ｅを特定する。
【００８３】
そして、伝送装置Ｃは、伝送装置Ｃにおける出力側のクロスコネクト情報であるＬｉｎｋＩＤ「２０」と、Ｃｈ情報「１」と、伝送装置Ｃを一意に識別するＮｏｄｅＩＤ「３．３．３．３」とから構成されるオブジェクト情報をパスメッセージに追加して（図８参照）、特定された下位隣接ノードである伝送装置Ｅに当該パスメッセージを送信する。なお、図８は、実施例１に係る伝送装置Ｃがパスメッセージに追加するオブジェクト情報の例を示した図である。
【００８４】
（終点ノードによるパスメッセージ受信時のＧＭＰＬＳ管理移行処理）
次に、図９を用いて、実施例１に係るパスメッセージ受信時の終点ノードのＧＭＰＬＳ管理移行処理を説明する。図９は、実施例１に係るパスメッセージ受信時の伝送装置ＥのＧＭＰＬＳ管理移行処理を示すフローチャートである。
【００８５】
図９に示すように、伝送装置Ｅは、送信されて受信したシグナリングメッセージに基づいて、自ノードが終点ノードであると判定された場合に（ステップＳ３０１肯定）、オブジェクト情報が追加されているシグナリングメッセージを上位隣接ノードに送信する（ステップＳ３０２）。
【００８６】
上記した例で具体的に説明すると、伝送装置Ｅは、伝送装置Ｃにより送信されて受信したパスメッセージのＥＸＰＬＩＣＩＴ＿ＲＯＵＴＥオブジェクトに指定される終点ノードのＮｏｄｅＩＤ「５．５．５．５」と、伝送装置ＥのＮｏｄｅＩＤ「５．５．５．５」とを比較して、自ノード（伝送装置Ｅ）が終点ノードであると判定する。
【００８７】
そして、伝送装置Ｅは、各上位ノードである伝送装置Ａと伝送装置Ｃとの出力側のＬｉｎｋＩＤと、Ｃｈ情報と、各上位ノードのＮｏｄｅＩＤとから構成されるオブジェクト情報が追加されているシグナリングメッセージ（図１０参照）を、リザーブメッセージとして隣接する上位ノードである伝送装置Ｃに対して送信する。なお、図１０は、実施例１に係る伝送装置Ｅがリザーブメッセージを送信する場合のオブジェクト情報の例を示した図である。
【００８８】
そして、伝送装置Ｅは、自ノードのクロスコネクト情報を所定の記憶部に保持されるクロスコネクト情報から取得し（ステップＳ３０３）、取得されたクロスコネクト情報をＧＭＰＬＳ管理下に移行する（ステップＳ３０４）。
【００８９】
上記した例で具体的に説明すると、伝送装置Ｅは、伝送装置Ｅにおける入力側のクロスコネクト情報であるＬｉｎｋＩＤ「１００」とＣｈ情報「１」とから、伝送装置Ｅにおける出力側のクロスコネクト情報であるＬｉｎｋＩＤ「１」とＣｈ情報「４９」とを、伝送装置ＥにおいてＧＭＰＬＳ管理移行対象クロスコネクト情報として、伝送装置Ｅにおいて保持している既存パス情報ＤＢ１２１から取得する。
【００９０】
そして、伝送装置Ｅは、取得された伝送装置Ｅにおける入力側のクロスコネクト情報であるＬｉｎｋＩＤ「１００」とＣｈ情報「１」と、伝送装置Ｅにおける出力側のクロスコネクト情報であるＬｉｎｋＩＤ「２０」と、Ｃｈ情報「１」とのクロスコネクト情報を、伝送装置ＥにおけるＧＭＰＬＳ管理移行対象クロスコネクトとして更新して、既存パス管理下からＧＭＰＬＳのパス管理下にパス管理を移行する。
【００９１】
（中間ノードによるリザーブメッセージ受信時のＧＭＰＬＳ管理移行処理）
次に、図１１を用いて、実施例１に係るリザーブメッセージ受信時の中間ノードのＧＭＰＬＳ管理移行処理を説明する。図１１は、実施例１に係るリザーブメッセージ受信時の伝送装置ＣのＧＭＰＬＳ管理移行処理を示すフローチャートである。
【００９２】
図１１に示すように、伝送装置Ｃは、送信されて受信したシグナリングメッセージに基づいて、自ノードが中間ノードであると判定された場合に（ステップＳ４０１肯定）、オブジェクト情報が追加されているシグナリングメッセージを上位隣接ノードに送信するとともに（ステップＳ４０２）、予約されたＧＭＰＬＳ管理移行対象クロスコネクトをＧＭＰＬＳ管理下に移行する（ステップＳ４０３）。
【００９３】
上記した例で具体的に説明すると、伝送装置Ｃは、伝送装置Ｅにより送信されて受信したリザーブメッセージの各ノードの出力側のＬｉｎｋＩＤと、Ｃｈ情報と、各ノードを一意に識別するＮｏｄｅＩＤとから構成されるオブジェクト情報に基づいて自ノード（伝送装置Ｃ）を中間ノードであると判定する。
【００９４】
そして、伝送装置Ｃは、オブジェクト情報が追加されているリザーブメッセージを、隣接する上位ノードである伝送装置Ａに対して送信する。続いて、伝送装置Ｃは、パスメッセージ受信時に予約されたＧＭＰＬＳ管理移行対象クロスコネクトとして伝送装置Ｃにおける入力側のクロスコネクト情報であるＬｉｎｋＩＤ「２」と、Ｃｈ情報「１」と、伝送装置Ｃにおける出力側のクロスコネクト情報であるＬｉｎｋＩＤ「２０」と、Ｃｈ情報「１」とを更新して、既存パス管理下からＧＭＰＬＳのパス管理下にパス管理を移行する。
【００９５】
（始点ノードによるリザーブメッセージ受信時のＧＭＰＬＳ管理移行処理）
次に、図１２を用いて、実施例１に係るリザーブメッセージ受信時の始点ノードのＧＭＰＬＳ管理移行処理を説明する。図１２は、実施例１に係るリザーブメッセージ受信時の伝送装置ＡのＧＭＰＬＳ管理移行処理を示すフローチャートである。
【００９６】
図１２に示すように、伝送装置Ａは、送信されて受信したシグナリングメッセージに基づいて、自ノードが始点ノードであると判定された場合に（ステップＳ５０１肯定）、オブジェクト情報を、受け付けたシグナリングメッセージから取得するとともに（ステップＳ５０２）、予約されたＧＭＰＬＳ管理移行対象クロスコネクトをＧＭＰＬＳ管理下に移行する（ステップＳ５０３）。
【００９７】
上記した例で具体的に説明すると、伝送装置Ａは、伝送装置Ｃにより送信されて受信したリザーブメッセージの各ノードの出力側のＬｉｎｋＩＤと、Ｃｈ情報と、各ノードを一意に識別するＮｏｄｅＩＤとから構成されるオブジェクト情報に基づいて自ノード（伝送装置Ａ）を始点ノードであると判定する。
【００９８】
そして、伝送装置Ａは、各ノードの出力側のＬｉｎｋＩＤと、Ｃｈ情報と、各ノードを一意に識別するＮｏｄｅＩＤとから構成されるオブジェクト情報をリザーブメッセージから取得する。続いて、伝送装置Ａは、パスメッセージ受信時に予約されたＧＭＰＬＳ管理移行対象クロスコネクトとして伝送装置Ａにおける入力側のクロスコネクト情報であるＬｉｎｋＩＤ「３」と、Ｃｈ情報「４９」と、伝送装置Ａにおける出力側のクロスコネクト情報であるＬｉｎｋＩＤ「５」と、Ｃｈ情報「１」とを更新して、既存パス管理下からＧＭＰＬＳのパス管理下にパス管理を移行する。
【００９９】
［実施例１に係る各ノード間のパス管理移行処理のシーケンス］
次に、図１３を用いて、実施例１に係る各伝送装置間のＧＭＰＬＳ管理移行処理のシーケンスを説明する。図１３は、実施例１に係る各伝送装置間のＧＭＰＬＳ管理移行処理のシーケンスを示す図である。
【０１００】
図１３に示すように、伝送装置Ａは、ネットワークの管理者によってクロスコネクト情報をＧＭＰＬＳ管理下に移行する要求を示すＧＭＰＬＳ管理移行要求として、始点ノードである伝送装置ＡのＮｏｄｅＩＤ「１．１．１．１」、入力側ＬｉｎｋＩＤ「３」、入力側Ｃｈ情報「４９」と、終点ノードである伝送装置ＥのＮｏｄｅＩＤ「５．５．５．５」、出力側ＬｉｎｋＩＤ「１」、出力側Ｃｈ情報「４９」とを受け付ける（ステップＳ１０１）。
【０１０１】
そして、ＧＭＰＬＳ管理移行要求を受け付けた伝送装置Ａは、伝送装置Ａにおける入力側のクロスコネクト情報であるＬｉｎｋＩＤ「３」とＣｈ情報「４９」とから、伝送装置Ａにおける出力側のクロスコネクト情報であるＬｉｎｋＩＤ「５」とＣｈ情報「１」とを、伝送装置ＡにおいてＧＭＰＬＳ管理移行対象となるクロスコネクト情報として、伝送装置Ａにおいて保持している既存パス情報ＤＢ１２１から取得する（ステップＳ１０２）。
【０１０２】
続いて、伝送装置Ａは、取得された伝送装置Ａにおける入力側のクロスコネクト情報であるＬｉｎｋＩＤ「３」と、Ｃｈ情報「４９」と、伝送装置Ａにおける出力側のクロスコネクト情報であるＬｉｎｋＩＤ「５」と、Ｃｈ情報「１」とのクロスコネクト情報を、伝送装置ＡにおけるＧＭＰＬＳ管理移行対象クロスコネクトとして予約する（ステップＳ１０３）。
【０１０３】
その後、伝送装置Ａは、ＧＭＰＬＳ管理移行対象クロスコネクトが予約された場合に、出力側のクロスコネクト情報であるＬｉｎｋＩＤ「５」と一致する伝送装置Ａ内のリンク情報（ノードＡＬｉｎｋＩＤ「５」、対向ノードＮｏｄｅＩＤ「３．３．３．３」、ＮｏｄｅＩＰ「１０．５．２０．１３」、ＬｉｎｋＩＤ「２」）を既存パス情報ＤＢ１２１から検索して、パスメッセージの送信先となる下位隣接ノードである伝送装置Ｃを特定する（ステップＳ１０４）。
【０１０４】
そして、伝送装置Ａは、伝送装置Ａにおける出力側のクロスコネクト情報であるＬｉｎｋＩＤ「５」と、Ｃｈ情報「１」と、伝送装置Ａを一意に識別するＮｏｄｅＩＤ「１．１．１．１」とから構成されるオブジェクト情報をパスメッセージに追加して、特定された下位隣接ノードである伝送装置Ｃに当該パスメッセージを送信する（ステップＳ１０５）。
【０１０５】
続いて、伝送装置Ｃは、伝送装置Ａから受け付けたパスメッセージのＥＸＰＬＩＣＩＴ＿ＲＯＵＴＥオブジェクトに指定される終点ノードのＮｏｄｅＩＤ「５．５．５．５」と、伝送装置ＣのＮｏｄｅＩＤ「３．３．３．３」とを比較して、自ノード（伝送装置Ｃ）を中間ノードであると判定する（ステップＳ２０１）。
【０１０６】
その後、伝送装置Ｃは、伝送装置Ｃにおける入力側のクロスコネクト情報であるＬｉｎｋＩＤ「２」とＣｈ情報「１」とから、伝送装置Ｃにおける出力側のクロスコネクト情報であるＬｉｎｋＩＤ「２０」とＣｈ情報「１」とを、伝送装置Ｃにおいて保持している既存パス情報ＤＢ１２１から取得する（ステップＳ２０２）。
【０１０７】
そして、伝送装置Ｃは、取得された伝送装置Ｃにおける入力側のクロスコネクト情報であるＬｉｎｋＩＤ「２」と、Ｃｈ情報「１」と、伝送装置Ｃにおける出力側の情報であるＬｉｎｋＩＤ「２０」と、Ｃｈ情報「１」とのクロスコネクト情報を、伝送装置ＣにおけるＧＭＰＬＳ管理移行対象クロスコネクトとして予約する（ステップＳ２０３）。
【０１０８】
続いて、伝送装置Ｃは、ＧＭＰＬＳ管理移行対象クロスコネクトが予約された場合に、出力側のクロスコネクト情報であるＬｉｎｋＩＤ「２０」と一致する伝送装置Ｃ内のリンク（ノードＣＬｉｎｋＩＤ「２０」、対向ノードＮｏｄｅＩＤ「５．５．５．５」、ＮｏｄｅＩＰ「１０．５．２０．１５」、ＬｉｎｋＩＤ「１００」）を既存パス情報ＤＢ１２１から検索して、パスメッセージの送信先となる下位隣接ノードである伝送装置Ｅを特定する（ステップＳ２０４）。
【０１０９】
その後、伝送装置Ｃは、伝送装置Ｃにおける出力側のクロスコネクト情報であるＬｉｎｋＩＤ「２０」と、Ｃｈ情報「１」と、伝送装置Ｃを一意に識別するＮｏｄｅＩＤ「３．３．３．３」とから構成されるオブジェクト情報をパスメッセージに追加して、特定された下位隣接ノードである伝送装置Ｅに当該パスメッセージを送信する（ステップＳ２０５）。
【０１１０】
そして、伝送装置Ｅは、伝送装置Ｃにより送信されて受信したパスメッセージのＥＸＰＬＩＣＩＴ＿ＲＯＵＴＥオブジェクトに指定される終点ノードのＮｏｄｅＩＤ「５．５．５．５」と、伝送装置ＥのＮｏｄｅＩＤ「５．５．５．５」とを比較して、自ノード（伝送装置Ｅ）が終点ノードであると判定する（ステップＳ３０１）。
【０１１１】
続いて、伝送装置Ｅは、各上位ノードである伝送装置Ａと伝送装置Ｃとの出力側のＬｉｎｋＩＤと、Ｃｈ情報と、各上位ノードのＮｏｄｅＩＤとから構成されるオブジェクト情報が追加されているシグナリングメッセージを、リザーブメッセージとして隣接する上位ノードである伝送装置Ｃに対して送信する（ステップＳ３０２）。
【０１１２】
その後、伝送装置Ｅは、伝送装置Ｅにおける入力側のクロスコネクト情報であるＬｉｎｋＩＤ「１００」とＣｈ情報「１」とから、伝送装置Ｅにおける出力側のクロスコネクト情報であるＬｉｎｋＩＤ「１」とＣｈ情報「４９」とを、伝送装置ＥにおいてＧＭＰＬＳ管理移行対象クロスコネクト情報として、伝送装置Ｅにおいて保持している既存パス情報ＤＢ１２１から取得する（ステップＳ３０３）。
【０１１３】
そして、伝送装置Ｅは、取得された伝送装置Ｅにおける入力側のクロスコネクト情報であるＬｉｎｋＩＤ「１００」とＣｈ情報「１」と、伝送装置Ｅにおける出力側のクロスコネクト情報であるＬｉｎｋＩＤ「２０」と、Ｃｈ情報「１」とのクロスコネクト情報を、伝送装置ＥにおけるＧＭＰＬＳ管理移行対象クロスコネクトとして更新して、既存パス管理下からＧＭＰＬＳのパス管理下にパス管理を移行する（ステップＳ３０４）。
【０１１４】
続いて、伝送装置Ｃは、伝送装置Ｅにより送信されて受信したリザーブメッセージの各ノードの出力側のＬｉｎｋＩＤと、Ｃｈ情報と、各ノードを一意に識別するＮｏｄｅＩＤとから構成されるオブジェクト情報に基づいて自ノード（伝送装置Ｃ）を中間ノードであると判定する（ステップＳ４０１）。
【０１１５】
その後、伝送装置Ｃは、オブジェクト情報が追加されているリザーブメッセージを、隣接する上位ノードである伝送装置Ａに対して送信する（ステップＳ４０２）。そして、伝送装置Ｃは、パスメッセージ受信時に予約されたＧＭＰＬＳ管理移行対象クロスコネクトとして伝送装置Ｃにおける入力側のクロスコネクト情報であるＬｉｎｋＩＤ「２」と、Ｃｈ情報「１」と、伝送装置Ｃにおける出力側のクロスコネクト情報であるＬｉｎｋＩＤ「２０」と、Ｃｈ情報「１」とを更新して、既存パス管理下からＧＭＰＬＳのパス管理下にパス管理を移行する（ステップＳ４０３）。
【０１１６】
続いて、伝送装置Ａは、伝送装置Ｃにより送信されて受信したリザーブメッセージの各ノードの出力側のＬｉｎｋＩＤと、Ｃｈ情報と、各ノードを一意に識別するＮｏｄｅＩＤとから構成されるオブジェクト情報に基づいて自ノード（伝送装置Ａ）を始点ノードであると判定する（ステップＳ５０１）。
【０１１７】
その後、伝送装置Ａは、各ノードの出力側のＬｉｎｋＩＤと、Ｃｈ情報と、各ノードを一意に識別するＮｏｄｅＩＤとから構成されるオブジェクト情報をリザーブメッセージから取得する（ステップＳ５０２）。そして、伝送装置Ａは、パスメッセージ受信時に予約されたＧＭＰＬＳ管理移行対象クロスコネクトとして伝送装置Ａにおける入力側のクロスコネクト情報であるＬｉｎｋＩＤ「３」と、Ｃｈ情報「４９」と、伝送装置Ａにおける出力側のクロスコネクト情報であるＬｉｎｋＩＤ「５」と、Ｃｈ情報「１」とを更新して、既存パス管理下からＧＭＰＬＳのパス管理下にパス管理を移行する（ステップＳ５０３）。
【０１１８】
［実施例１による効果］
このようにして、実施例１によれば、伝送装置Ａ１００は、ネットワークの管理者などに手動で設定された既存パスをＧＭＰＬＳのパス管理下に移行する場合に、クロスコネクト情報を、ＧＭＰＬＳ管理移行対象クロスコネクトとして予約し、自ノードにおける出力側のクロスコネクト情報と、自ノードを一意に識別する識別子情報とから構成されるオブジェクト情報をパスメッセージに追加して送信し、リザーブメッセージを送信しつつ、予約されたＧＭＰＬＳ管理移行対象クロスコネクトを更新して既存パス管理下からＧＭＰＬＳのパス管理下にパス管理を移行するので、ネットワークサービスを切断することなく、既存のパスをＧＭＰＬＳ管理下に移行することが可能である。
【０１１９】
例えば、伝送装置Ａ１００は、自ノードにおける入力側と出力側とのクロスコネクト情報を、ＧＭＰＬＳ管理移行対象クロスコネクトとして予約する。そして、伝送装置Ａ１００は、自ノードにおける出力側のクロスコネクト情報と、自ノードのＮｏｄｅＩＤとから構成されるオブジェクト情報をパスメッセージに追加して隣接する下位ノードに送信する。続いて、伝送装置Ａ１００は、終点ノードである場合に、受信したパスメッセージを隣接する上位ノードに、リザーブメッセージとして送信する。その後、伝送装置Ａ１００は、パスメッセージ送信時に予約されたＧＭＰＬＳ管理移行対象クロスコネクトを更新して既存パス管理下からＧＭＰＬＳのパス管理下にパス管理を移行する。この結果、伝送装置Ａ１００は、ネットワークサービスを切断することなく、既存のパスをＧＭＰＬＳ管理下に移行することが可能である。
【実施例２】
【０１２０】
ところで、上記実施例１では、ＧＭＰＬＳ管理移行処理におけるＧＭＰＬＳ管理移行対象を、片方向パスについて予約、移行する場合について説明したが、本発明はこれに限定されるものではなく、ＧＭＰＬＳ管理移行処理におけるＧＭＰＬＳ管理移行対象を、双方向パスについて予約、移行することもできる。
【０１２１】
そこで、以下の実施例２では、図１４を用いて、実施例２に係るＧＭＰＬＳ管理移行処理について説明する。また、図１４は、実施例２に係るＧＭＰＬＳ管理移行処理におけるＧＭＰＬＳ管理移行対象を双方向について予約、移行する場合を説明するための図である。なお、実施例２に係る伝送装置と当該伝送装置を含むネットワークとの構成や機能などは、実施例１と同様であるためその説明を省略する。
【０１２２】
［双方向パスにおけるＧＭＰＬＳ管理移行処理］
図１４に示すように、伝送装置は、ネットワークの管理者によってクロスコネクト情報をＧＭＰＬＳ管理下に移行する要求を示すＧＭＰＬＳ管理移行要求を受け付けた場合に、自ノードにおいてＧＭＰＬＳ管理下の対象となる入力側と出力側とのクロスコネクト情報を、所定の記憶部から取得する（図１４の（１）参照）。
【０１２３】
具体的に例を挙げると、伝送装置Ａは、ネットワークの管理者などによって既存のクロスコネクト情報をＧＭＰＬＳ管理下に移行する要求として、始点ノードである伝送装置Ａと終点ノードである伝送装置Ｄとの自ノード情報とクロスコネクト情報とを受け付ける。そして、ＧＭＰＬＳ管理移行要求を受け付けた伝送装置Ａは、伝送装置Ａにおける入力側のクロスコネクト情報から、伝送装置Ａにおける出力側のクロスコネクト情報を、伝送装置ＡにおいてＧＭＰＬＳ管理移行対象となるクロスコネクト情報として、保持している既存パス情報から取得する。
【０１２４】
そして、伝送装置は、取得された前記クロスコネクト情報を、ＧＭＰＬＳ管理移行対象クロスコネクトとして双方向について予約する（図１４の（２）参照）。上記した例で具体的に例を挙げると、伝送装置Ａは、取得された伝送装置Ａにおける入力側と出力側とのクロスコネクト情報を、伝送装置ＡにおけるＧＭＰＬＳ管理移行対象クロスコネクトとして、上位ノードを伝送装置Ａ、下位ノードを伝送装置Ｄとする方向、および、上位ノードを伝送装置Ｄ、下位ノードを伝送装置Ａとする方向の双方向について予約する。つまり、伝送装置Ａは、取得された入力側と出力側とのクロスコネクト情報を、ＧＭＰＬＳ管理移行対象クロスコネクトとして片方向を予約するとともに、片方向における入力側を出力側、出力側を入力側としたクロスコネクト情報を、ＧＭＰＬＳ管理移行対象クロスコネクトとして予約した片方向とは逆の方向について予約することで、双方向についてＧＭＰＬＳ管理移行のための予約を行なう。
【０１２５】
続いて、伝送装置は、ＧＭＰＬＳ管理移行対象クロスコネクトが双方向について予約された場合に、シグナリングメッセージの送信先となる下位隣接ノードを所定の記憶部に保持されるリンク情報から特定し、クロスコネクト情報の自ノードにおける出力側のクロスコネクト情報と自ノードを一意に識別する識別子情報とから構成される第一のオブジェクト情報、並びに、前記クロスコネクト情報の自ノードにおける入力側のクロスコネクト情報と自ノードを一意に識別する識別子情報とから構成される第二のオブジェクト情報を、シグナリングメッセージに追加して、特定された下位隣接ノードに送信する（図１４の（３）参照）。
【０１２６】
上記した例で具体的に例を挙げると、伝送装置Ａは、ＧＭＰＬＳ管理移行対象クロスコネクトが双方向について予約された場合に、出力側のクロスコネクト情報と一致する自ノード内のリンク情報を既存パス情報から検索して、パスメッセージの送信先となる下位隣接ノード（伝送装置Ｂ）を特定する。そして、伝送装置Ａは、伝送装置Ａにおける出力側のクロスコネクト情報および伝送装置Ａを一意に識別する識別子情報から構成されるオブジェクト情報と、伝送装置Ａにおける入力側のクロスコネクト情報および伝送装置Ａの識別子情報から構成されるオブジェクト情報とをパスメッセージに追加して、特定された下位隣接ノードである伝送装置Ｂに当該パスメッセージを送信する。
【０１２７】
その後、伝送装置Ｂは、伝送装置Ａから受信したパスメッセージのＥＸＰＬＩＣＩＴ＿ＲＯＵＴＥオブジェクトに指定される終点ノードの識別子情報と、自ノード（伝送装置Ｂ）の識別子情報とを比較して、自ノード（伝送装置Ｂ）を中間ノードであると判定する。そして、伝送装置Ｂは、伝送装置Ｂにおける入力側のクロスコネクト情報から、伝送装置Ｂにおける出力側のクロスコネクト情報を、伝送装置Ｂにおいて保持している既存パス情報から取得する。続いて、伝送装置Ｂは、取得された伝送装置Ｂにおける入力側と出力側とのクロスコネクト情報を、伝送装置Ａと同様にして、伝送装置ＢにおけるＧＭＰＬＳ管理移行対象クロスコネクトとして双方向について予約する。その後、伝送装置Ｂは、ＧＭＰＬＳ管理移行対象クロスコネクトが双方向について予約された場合に、出力側のクロスコネクト情報と一致する自ノード内のリンク情報を既存パス情報から検索して、パスメッセージの送信先となる下位隣接ノード（伝送装置Ｃ）を特定する。そして、伝送装置Ｂは、伝送装置Ｂにおける出力側のクロスコネクト情報および伝送装置Ｂを一意に識別する識別子情報から構成されるオブジェクト情報と、伝送装置Ｂにおける入力側のクロスコネクト情報および伝送装置Ｂの識別子情報から構成されるオブジェクト情報とをパスメッセージに追加して、特定された下位隣接ノードである伝送装置Ｃに当該パスメッセージを送信する。
【０１２８】
続いて、伝送装置Ｃは、伝送装置Ｂと同様の処理を行なって、伝送装置Ｃにおける入力側と出力側とのクロスコネクト情報を取得して、伝送装置ＣにおけるＧＭＰＬＳ管理移行対象クロスコネクトとして双方向について予約し、伝送装置Ｃにおける入力側と出力側とのクロスコネクト情報と伝送装置Ｃの識別子情報とから構成される二つのオブジェクト情報をパスメッセージに追加して、下位隣接ノードである伝送装置Ｄに当該パスメッセージを送信する。
【０１２９】
その後、伝送装置は、送信されて受信したシグナリングメッセージに基づいて、自ノードが終点ノードであると判定された場合に、第一のオブジェクト情報および第二のオブジェクト情報が追加されているシグナリングメッセージを、上位隣接ノードに送信するとともに、自ノードのクロスコネクト情報を所定の記憶部に保持されるクロスコネクト情報から取得し、取得されたクロスコネクト情報をＧＭＰＬＳ管理下に双方向について移行する（図１４の（４）参照）。
【０１３０】
上記した例で具体的に例を挙げると、伝送装置Ｄは、隣接する上位ノードである伝送装置Ｃに送信されて受信したパスメッセージのＥＸＰＬＩＣＩＴ＿ＲＯＵＴＥオブジェクトに指定される終点ノードの識別子情報と、自ノードの識別子情報とを比較して、自ノード（伝送装置Ｄ）が終点ノードであると判定する。
【０１３１】
そして、伝送装置Ｄは、各上位ノードの入力側と出力側とのクロスコネクト情報と、各上位ノードを一意に識別する識別子情報とから構成されるオブジェクト情報が追加されているシグナリングメッセージを、リザーブメッセージとして隣接する上位ノードである伝送装置Ｃに対して送信する。続いて、伝送装置Ｄは、伝送装置Ｄにおける入力側と出力側とのクロスコネクト情報を取得して、伝送装置ＤにおけるＧＭＰＬＳ管理移行対象クロスコネクトとして双方向について更新して、既存パス管理下からＧＭＰＬＳのパス管理下にパス管理を移行する。
【０１３２】
そして、伝送装置は、送信されて受信したシグナリングメッセージに基づいて、自ノードが中間ノードであると判定された場合に、第一のオブジェクト情報および第二のオブジェクト情報が追加されているシグナリングメッセージを上位隣接ノードに送信するとともに、双方向について予約されたＧＭＰＬＳ管理移行対象クロスコネクトをＧＭＰＬＳ管理下に移行する（図１４の（５）参照）。
【０１３３】
上記した例で具体的に例を挙げると、伝送装置Ｃは、隣接する下位ノードである伝送装置Ｄに送信されて受信したリザーブメッセージの各ノードの入力側と出力側とのクロスコネクト情報と、各ノードを一意に識別する識別子情報とから構成される二つのオブジェクト情報に基づいて自ノード（伝送装置Ｃ）を中間ノードであると判定する。そして、伝送装置Ｃは、各ノードのオブジェクト情報が追加されているシグナリングメッセージを、リザーブメッセージとして隣接する上位ノードである伝送装置Ｂに対して送信する。続いて、伝送装置Ｃは、パスメッセージ受信時に双方向について予約されたＧＭＰＬＳ管理移行対象クロスコネクトを更新して、既存パス管理下からＧＭＰＬＳのパス管理下にパス管理を移行する。
【０１３４】
その後、伝送装置Ｂは、伝送装置Ｃと同様の処理を行なって、伝送装置Ｃからリザーブメッセージを受信すると、各ノードの入力側と出力側とのクロスコネクト情報と、各ノードを一意に識別する識別子情報とから構成される二つのオブジェクト情報が追加されているシグナリングメッセージを、リザーブメッセージとして伝送装置Ａに対して送信する。そして、伝送装置Ｂは、パスメッセージ受信時に双方向について予約されたＧＭＰＬＳ管理移行対象クロスコネクトを更新して、既存パス管理下からＧＭＰＬＳのパス管理下にパス管理を移行する。
【０１３５】
続いて、伝送装置は、送信されて受信したシグナリングメッセージに基づいて、自ノードが始点ノードであると判定された場合に、第一のオブジェクト情報および第二のオブジェクト情報を、受け付けたシグナリングメッセージから取得するとともに、双方向について予約されたＧＭＰＬＳ管理移行対象クロスコネクトをＧＭＰＬＳ管理下に移行する（図１４の（６）参照）。
【０１３６】
上記した例で具体的に例を挙げると、伝送装置Ａは、隣接する下位ノードである伝送装置Ｂに送信されて受信したリザーブメッセージの各ノードの入力側と出力側とのクロスコネクト情報と、各ノードを一意に識別する識別子情報とから構成される二つのオブジェクト情報に基づいて自ノード（伝送装置Ａ）を始点ノードであると判定する。そして、伝送装置Ａは、オブジェクト情報をリザーブメッセージから取得する。続いて、伝送装置Ａは、パスメッセージ送信時に双方向について予約されたＧＭＰＬＳ管理移行対象クロスコネクトを更新して、既存パス管理下からＧＭＰＬＳのパス管理下にパス管理を移行する。
【０１３７】
［実施例２による効果］
このようにして、実施例２によれば、伝送装置は、パスメッセージを送信する際に、ＧＭＰＬＳ管理移行対象クロスコネクトを双方向について予約するので、双方向についてのパス設定を迅速に実施することが可能である。
【実施例３】
【０１３８】
さて、これまで本発明の実施例について説明したが、本発明は上述した実施例以外にも
種々の異なる形態にて実施されてよいものである。そこで、（１）伝送装置の構成、（２）ＧＭＰＬＳ管理移行処理、（３）プログラムにおいて異なる実施例を説明する。
【０１３９】
（１）伝送装置の構成
また、上記文書中や図面中で示した処理手順、制御手順、具体的名称、各種のデータやパラメタを含む情報（例えば、図２に示す「既存パス情報ＤＢ１２１」が記憶している情報やシグナリングメッセージに追加するオブジェクトや各ノードを一意に識別する識別子情報など）については、特記する場合を除いて任意に変更することができる。
【０１４０】
また、図示した各装置の各構成要素は機能概念的なものであり、必ずしも物理的に図示の如く構成されていることを要しない。すなわち、各装置の分散・統合の具体的形態は図示のものに限られず、例えば、管理移行部１３５ｃを、第一管理移行部、第二管理移行部、第三管理移行部として分散するなど、その全部または一部を、各種の負担や使用状況などに応じて、任意の単位で機能的または物理的に分散・統合して構成することができる。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【０１４１】
また、上記実施例１または実施例２では、始点ノード、複数（または単数）の中間ノードおよび終点ノードを有するネットワーク内において各伝送装置によってパス管理が移行される場合を説明したが、本発明はこれに限定されるものではなく、始点ノードおよび終点ノードの２つの伝送装置によってパス管理を移行されることとしてもよい。
【０１４２】
例えば、始点ノードＸと終点ノードＹとの２つの伝送装置を有するネットワークである場合には、始点ノードＸにおいてパス管理の移行予約を実施して終点ノードＹにシグナリングメッセージ（パスメッセージ）を送信する。そして、始点ノードＸからシグナリングメッセージ（パスメッセージ）を受信した終点ノードＹは、ＧＭＰＬＳ管理下にパス管理を移行して、始点ノードＸに対してシグナリングメッセージ（リザーブメッセージ）を送信する。続いて、終点ノードＹからシグナリングメッセージ（リザーブメッセージ）を受信した始点ノードＸは、移行予約されたパス管理をＧＭＰＬＳ管理下に移行する。
【０１４３】
（２）ＧＭＰＬＳ管理移行処理
また、上記実施例１では、片方向のパスについてパス管理を移行する場合を説明したが、本発明はこれに限定されるものではなく、片方向のパスのパス管理を移行した後に、逆の方向についても同様の処理を行うことでパス管理を双方向について移行することもできる。
【０１４４】
例えば、伝送装置Ａから伝送装置Ｄに対してパスメッセージおよびリザーブメッセージを送信して、片方向についてパスのパス管理を移行する。そして、伝送装置Ｄから伝送装置Ａに対してパスメッセージおよびリザーブメッセージを送信して、もう一方の片方向についてパスのパス管理を移行する。この結果、パス管理を双方向について移行することができる。
【０１４５】
（３）プログラム
ところで、上記の実施例では、ハードウェアロジックによって各種の処理を実現する場合を説明したが、本発明はこれに限定されるものではなく、あらかじめ用意されたプログラムをコンピュータで実行することによって実現するようにしてもよい。そこで、以下では、図１５を用いて、上記の実施例に示した伝送装置と同様の機能を有する伝送プログラムを実行するコンピュータの一例を説明する。図１５は、伝送プログラムを実行するコンピュータを示す図である。
【０１４６】
図１５に示すように、伝送装置としてのコンピュータ２１０は、ＨＤＤ２３０、ＣＰＵ２４０、ＲＯＭ２５０およびＲＡＭ２６０をバス２８０などで接続される。
【０１４７】
ＲＯＭ２５０には、上記の実施例１に示した伝送装置１００と同様の機能を発揮する伝送プログラム、つまり、図１５に示すようにクロスコネクト情報取得プログラム２５０ａと、移行予約プログラム２５０ｂと、送信プログラム２５０ｃと、管理移行プログラム２５０ｄとが、あらかじめ記憶されている。なお、これらのプログラム２５０ａ〜プログラム２５０ｄについては、図２に示した伝送装置１００の各構成要素と同様、適宜統合または、分散してもよい。
【０１４８】
そして、ＣＰＵ２４０がこれらのプログラム２５０ａ〜プログラム２５０ｄをＲＯＭ２５０から読み出して実行することで、図１５に示すように、プログラム２５０ａ〜プログラム２５０ｄは、クロスコネクト情報取得プロセス２４０ａと、移行予約プロセス２４０ｂと、送信プロセス２４０ｃと、管理移行プロセス２４０ｄとして機能するようになる。なお、プロセス２４０ａ〜プロセス２４０ｄは、図２に示した、コマンド処理部１２４と、移行予約部１３５ａと、メッセージ送受信部１３５ｂと、管理移行部１３５ｃとに対応する。
【０１４９】
そして、ＣＰＵ２４０はＲＡＭ２６０に記録された既存パスデータ２３０ａに基づいて伝送プログラムを実行する。
【０１５０】
なお、上記した各プログラム２５０ａ〜プログラム２５０ｄについては、必ずしも最初からＲＯＭ２５０に記憶させておく必要はなく、例えば、コンピュータ２１０に挿入されるフレキシブルディスク（ＦＤ）、ＣＤ−ＲＯＭ、ＤＶＤディスク、光磁気ディスク、ＩＣカードなどの「可搬用の物理媒体」、またはコンピュータ２１０の内外に備えられるＨＤＤなどの「固定用の物理媒体」、さらには公衆回線、インターネット、ＬＡＮ、ＷＡＮなどを介してコンピュータ２１０に接続される「他のコンピュータ（またはサーバ）」などに各プログラムを記憶させておき、コンピュータ２１０がこれから各プログラムを読み出して実行するようにしてもよい。
【０１５１】
以上の実施例１〜実施例３を含む実施形態に関し、さらに以下の付記を開示する。
【０１５２】
（付記１）クロスコネクト情報を用いて、ＧＭＰＬＳ機能のシグナリングメッセージを複数のノード間で送受信する伝送装置であって、
ＧＭＰＬＳ管理下への移行要求時に特定のクロスコネクト情報を取得し、取得されたクロスコネクト情報により示される入出力経路情報を、ＧＭＰＬＳ管理下に移行する移行対象クロスコネクトとして予約する第一の移行予約手段と、
前記シグナリングメッセージの送信先となる自ノードより下位に位置する下位隣接ノードを、前記クロスコネクト情報を含むパス情報から特定し、前記シグナリングメッセージにおいて自ノードの出力側となるクロスコネクト情報と自ノードを一意に識別する識別子情報とから構成されるオブジェクト情報をシグナリングメッセージに付加して、特定された下位隣接ノードに送信する第一の送信手段と、
を有することを特徴とする伝送装置。
【０１５３】
（付記２）自ノードより上位に位置する上位隣接ノードから受信されたオブジェクト情報が付加されたシグナリングメッセージに基づいて、自ノードが中間ノードであると判定された場合に、当該シグナリングメッセージによって特定されるクロスコネクト情報を取得し、取得されたクロスコネクト情報により示される入出力経路情報を、前記ＧＭＰＬＳ管理下に移行する移行対象クロスコネクトとして予約する第二の移行予約手段と、
前記受信されたシグナリングメッセージの新たな送信先となる下位隣接ノードを、前記クロスコネクト情報を含むパス情報から特定し、当該シグナリングメッセージにおいて自ノードの出力側となるクロスコネクト情報と自ノードを一意に識別する識別子情報とから構成されるオブジェクト情報をシグナリングメッセージにさらに付加して、特定された下位隣接ノードに送信する第二の送信手段と、
をさらに有することを特徴とする付記１に記載の伝送装置。
【０１５４】
（付記３）自ノードより上位に位置する上位隣接ノードから受信されたオブジェクト情報が付加されたシグナリングメッセージに基づいて、自ノードが終点ノードであると判定された場合に、当該シグナリングメッセージを前記上位隣接ノードに送信するとともに、当該シグナリングメッセージによって特定されるクロスコネクト情報を取得し、取得されたクロスコネクト情報により示される経路をＧＭＰＬＳ管理下に移行する第一の管理移行手段と、
自ノードより下位に位置する下位隣接ノードから受信されたシグナリングメッセージに基づいて、自ノードが中間ノードであると判定された場合に、当該シグナリングメッセージを上位隣接ノードに送信するとともに、前記第二の移行予約手段により移行予約された経路を示す移行対象クロスコネクトをＧＭＰＬＳ管理下に移行する第二の管理移行手段と、
自ノードより下位に位置する下位隣接ノードから受信されたシグナリングメッセージに基づいて、自ノードが始点ノードであると判定された場合に、当該シグナリングメッセージに付加されているオブジェクト情報を取得するとともに、前記第一の移行予約手段により移行予約された経路を示す移行対象クロスコネクトをＧＭＰＬＳ管理下に移行する第三の管理移行手段と、
をさらに有することを特徴とする付記１または付記２に記載の伝送装置。
【０１５５】
（付記４）自ノードより上位に位置する上位隣接ノードから受信されたオブジェクト情報が付加されたシグナリングメッセージに基づいて、自ノードが終点ノードであると判定された場合に、当該シグナリングメッセージを前記上位隣接ノードに送信するとともに、当該シグナリングメッセージによって特定されるクロスコネクト情報を取得し、取得されたクロスコネクト情報により示される経路をＧＭＰＬＳ管理下に移行する第七の管理移行手段と、
自ノードより下位に位置する下位隣接ノードから受信されたシグナリングメッセージに基づいて、自ノードが始点ノードであると判定された場合に、当該シグナリングメッセージに付加されているオブジェクト情報を取得するとともに、前記第一の移行予約手段により移行予約された経路を示す移行対象クロスコネクトをＧＭＰＬＳ管理下に移行する第八の管理移行手段と、
をさらに有することを特徴とする付記１に記載の伝送装置。
【０１５６】
（付記５）クロスコネクト情報を用いて、ＧＭＰＬＳ機能のシグナリングメッセージを複数のノード間で送受信する伝送装置であって、
ＧＭＰＬＳ管理下への移行要求時に特定のクロスコネクト情報を取得し、取得されたクロスコネクト情報により示される入出力経路情報を、ＧＭＰＬＳ管理下に移行する移行対象クロスコネクトとして双方向について予約する第三の移行予約手段と、
前記シグナリングメッセージの送信先となる自ノードより下位に位置する下位隣接ノードを、前記クロスコネクト情報を含むパス情報から特定し、前記シグナリングメッセージにおいて自ノードの出力側となるクロスコネクト情報と自ノードを一意に識別する識別子情報とから構成される第一のオブジェクト情報、および、自ノードの入力側となるクロスコネクト情報と自ノードを一意に識別する識別子情報とから構成される第二のオブジェクト情報をシグナリングメッセージに付加して、特定された下位隣接ノードに送信する第三の送信手段と、
を有することを特徴とする伝送装置。
【０１５７】
（付記６）自ノードより上位に位置する上位隣接ノードから受信された第一のオブジェクトおよび第二のオブジェクト情報が付加されたシグナリングメッセージに基づいて、自ノードが中間ノードであると判定された場合に、当該シグナリングメッセージによって特定されるクロスコネクト情報を取得し、取得されたクロスコネクト情報により示される入出力経路情報を、前記ＧＭＰＬＳ管理下に移行する移行対象クロスコネクトとして双方向について予約する第四の移行予約手段と、
前記受信されたシグナリングメッセージの新たな送信先となる下位隣接ノードを、前記クロスコネクト情報を含むパス情報から特定し、当該シグナリングメッセージにおいて自ノードの出力側となるクロスコネクト情報と自ノードを一意に識別する識別子情報とから構成される第一のオブジェクト情報、および、自ノードの入力側となるクロスコネクト情報と自ノードを一意に識別する識別子情報とから構成される第二のオブジェクト情報をシグナリングメッセージにさらに付加して、特定された下位隣接ノードに送信する第四の送信手段と、
をさらに有することを特徴とする付記５に記載の伝送装置。
【０１５８】
（付記７）自ノードより上位に位置する上位隣接ノードから受信された第一のオブジェクト情報および第二のオブジェクト情報が付加されたシグナリングメッセージに基づいて、自ノードが終点ノードであると判定された場合に、当該シグナリングメッセージを前記上位隣接ノードに送信するとともに、当該シグナリングメッセージによって特定されるクロスコネクト情報を取得し、取得されたクロスコネクト情報により示される経路をＧＭＰＬＳ管理下に双方向について移行する第四の管理移行手段と、
自ノードより下位に位置する下位隣接ノードから受信されたシグナリングメッセージに基づいて、自ノードが中間ノードであると判定された場合に、当該シグナリングメッセージを上位隣接ノードに送信するとともに、前記第四の移行予約手段により双方向について移行予約された経路を示す移行対象クロスコネクトをＧＭＰＬＳ管理下に双方向について移行する第五の管理移行手段と、
自ノードより下位に位置する下位隣接ノードから受信されたシグナリングメッセージに基づいて、自ノードが始点ノードであると判定された場合に、当該シグナリングメッセージに付加されている第一のオブジェクト情報および第二のオブジェクト情報を取得するとともに、前記第三の移行予約手段により双方向について移行予約された経路を示す移行対象クロスコネクトをＧＭＰＬＳ管理下に双方向について移行する第六の管理移行手段と、
をさらに有することを特徴とする付記５または付記６に記載の伝送装置。
【０１５９】
（付記８）自ノードより上位に位置する上位隣接ノードから受信された第一のオブジェクト情報および第二のオブジェクト情報が付加されたシグナリングメッセージに基づいて、自ノードが終点ノードであると判定された場合に、当該シグナリングメッセージを前記上位隣接ノードに送信するとともに、当該シグナリングメッセージによって特定されるクロスコネクト情報を取得し、取得されたクロスコネクト情報により示される経路をＧＭＰＬＳ管理下に双方向について移行する第九の管理移行手段と、
自ノードより下位に位置する下位隣接ノードから受信されたシグナリングメッセージに基づいて、自ノードが始点ノードであると判定された場合に、当該シグナリングメッセージに付加されている第一のオブジェクト情報および第二のオブジェクト情報を取得するとともに、前記第三の移行予約手段により双方向について移行予約された経路を示す移行対象クロスコネクトをＧＭＰＬＳ管理下に双方向について移行する第十の管理移行手段と、
をさらに有することを特徴とする付記５に記載の伝送装置。
【０１６０】
（付記９）クロスコネクト情報を用いて、ＧＭＰＬＳ機能のシグナリングメッセージを複数のノード間で送受信する伝送装置に適した伝送方法であって、
ＧＭＰＬＳ管理下への移行要求時に特定のクロスコネクト情報を取得し、取得されたクロスコネクト情報により示される入出力経路情報を、ＧＭＰＬＳ管理下に移行する移行対象クロスコネクトとして予約する第一の移行予約工程と、
前記シグナリングメッセージの送信先となる自ノードより下位に位置する下位隣接ノードを、前記クロスコネクト情報を含むパス情報から特定し、前記シグナリングメッセージにおいて自ノードの出力側となるクロスコネクト情報と自ノードを一意に識別する識別子情報とから構成されるオブジェクト情報をシグナリングメッセージに付加して、特定された下位隣接ノードに送信する第一の送信工程と、
を含んだことを特徴とする伝送方法。
【０１６１】
（付記１０）自ノードより上位に位置する上位隣接ノードから受信されたオブジェクト情報が付加されたシグナリングメッセージに基づいて、自ノードが中間ノードであると判定された場合に、当該シグナリングメッセージによって特定されるクロスコネクト情報を取得し、取得されたクロスコネクト情報により示される入出力経路情報を、前記ＧＭＰＬＳ管理下に移行する移行対象クロスコネクトとして予約する第二の移行予約工程と、
前記受信されたシグナリングメッセージの新たな送信先となる下位隣接ノードを、前記クロスコネクト情報を含むパス情報から特定し、当該シグナリングメッセージにおいて自ノードの出力側となるクロスコネクト情報と自ノードを一意に識別する識別子情報とから構成されるオブジェクト情報をシグナリングメッセージにさらに付加して、特定された下位隣接ノードに送信する第二の送信工程と、
をさらに含んだことを特徴とする付記９に記載の伝送方法。
【０１６２】
（付記１１）自ノードより上位に位置する上位隣接ノードから受信されたオブジェクト情報が付加されたシグナリングメッセージに基づいて、自ノードが終点ノードであると判定された場合に、当該シグナリングメッセージを前記上位隣接ノードに送信するとともに、当該シグナリングメッセージによって特定されるクロスコネクト情報を取得し、取得されたクロスコネクト情報により示される経路をＧＭＰＬＳ管理下に移行する第一の管理移行工程と、
自ノードより下位に位置する下位隣接ノードから受信されたシグナリングメッセージに基づいて、自ノードが中間ノードであると判定された場合に、当該シグナリングメッセージを上位隣接ノードに送信するとともに、前記第二の移行予約工程により移行予約された経路を示す移行対象クロスコネクトをＧＭＰＬＳ管理下に移行する第二の管理移行工程と、
自ノードより下位に位置する下位隣接ノードから受信されたシグナリングメッセージに基づいて、自ノードが始点ノードであると判定された場合に、当該シグナリングメッセージに付加されているオブジェクト情報を取得するとともに、前記第一の移行予約工程により移行予約された経路を示す移行対象クロスコネクトをＧＭＰＬＳ管理下に移行する第三の管理移行工程と、
をさらに含んだことを特徴とする付記９または付記１０に記載の伝送方法。
【０１６３】
（付記１２）自ノードより上位に位置する上位隣接ノードから受信されたオブジェクト情報が付加されたシグナリングメッセージに基づいて、自ノードが終点ノードであると判定された場合に、当該シグナリングメッセージを前記上位隣接ノードに送信するとともに、当該シグナリングメッセージによって特定されるクロスコネクト情報を取得し、取得されたクロスコネクト情報により示される経路をＧＭＰＬＳ管理下に移行する第七の管理移行工程と、
自ノードより下位に位置する下位隣接ノードから受信されたシグナリングメッセージに基づいて、自ノードが始点ノードであると判定された場合に、当該シグナリングメッセージに付加されているオブジェクト情報を取得するとともに、前記第一の移行予約工程により移行予約された経路を示す移行対象クロスコネクトをＧＭＰＬＳ管理下に移行する第八の管理移行工程と、
をさらに含んだことを特徴とする付記９に記載の伝送方法。
【０１６４】
（付記１３）クロスコネクト情報を用いて、ＧＭＰＬＳ機能のシグナリングメッセージを複数のノード間で送受信する伝送装置に適した伝送方法であって、
ＧＭＰＬＳ管理下への移行要求時に特定のクロスコネクト情報を取得し、取得されたクロスコネクト情報により示される入出力経路情報を、ＧＭＰＬＳ管理下に移行する移行対象クロスコネクトとして双方向について予約する第三の移行予約工程と、
前記シグナリングメッセージの送信先となる自ノードより下位に位置する下位隣接ノードを、前記クロスコネクト情報を含むパス情報から特定し、前記シグナリングメッセージにおいて自ノードの出力側となるクロスコネクト情報と自ノードを一意に識別する識別子情報とから構成される第一のオブジェクト情報、および、自ノードの入力側となるクロスコネクト情報と自ノードを一意に識別する識別子情報とから構成される第二のオブジェクト情報をシグナリングメッセージに付加して、特定された下位隣接ノードに送信する第三の送信工程と、
を含んだことを特徴とする伝送方法。
【０１６５】
（付記１４）自ノードより上位に位置する上位隣接ノードから受信された第一のオブジェクトおよび第二のオブジェクト情報が付加されたシグナリングメッセージに基づいて、自ノードが中間ノードであると判定された場合に、当該シグナリングメッセージによって特定されるクロスコネクト情報を取得し、取得されたクロスコネクト情報により示される入出力経路情報を、前記ＧＭＰＬＳ管理下に移行する移行対象クロスコネクトとして双方向について予約する第四の移行予約工程と、
前記受信されたシグナリングメッセージの新たな送信先となる下位隣接ノードを、前記クロスコネクト情報を含むパス情報から特定し、当該シグナリングメッセージにおいて自ノードの出力側となるクロスコネクト情報と自ノードを一意に識別する識別子情報とから構成される第一のオブジェクト情報、および、自ノードの入力側となるクロスコネクト情報と自ノードを一意に識別する識別子情報とから構成される第二のオブジェクト情報をシグナリングメッセージにさらに付加して、特定された下位隣接ノードに送信する第四の送信工程と、
をさらに含んだことを特徴とする付記１３に記載の伝送方法。
【０１６６】
（付記１５）自ノードより上位に位置する上位隣接ノードから受信された第一のオブジェクト情報および第二のオブジェクト情報が付加されたシグナリングメッセージに基づいて、自ノードが終点ノードであると判定された場合に、当該シグナリングメッセージを前記上位隣接ノードに送信するとともに、当該シグナリングメッセージによって特定されるクロスコネクト情報を取得し、取得されたクロスコネクト情報により示される経路をＧＭＰＬＳ管理下に双方向について移行する第四の管理移行工程と、
自ノードより下位に位置する下位隣接ノードから受信されたシグナリングメッセージに基づいて、自ノードが中間ノードであると判定された場合に、当該シグナリングメッセージを上位隣接ノードに送信するとともに、前記第四の移行予約工程により双方向について移行予約された経路を示す移行対象クロスコネクトをＧＭＰＬＳ管理下に双方向について移行する第五の管理移行工程と、
自ノードより下位に位置する下位隣接ノードから受信されたシグナリングメッセージに基づいて、自ノードが始点ノードであると判定された場合に、当該シグナリングメッセージに付加されている第一のオブジェクト情報および第二のオブジェクト情報を取得するとともに、前記第三の移行予約工程により双方向について移行予約された経路を示す移行対象クロスコネクトをＧＭＰＬＳ管理下に双方向について移行する第六の管理移行工程と、
をさらに含んだことを特徴とする付記１３または付記１４に記載の伝送方法。
【０１６７】
（付記１６）自ノードより上位に位置する上位隣接ノードから受信された第一のオブジェクト情報および第二のオブジェクト情報が付加されたシグナリングメッセージに基づいて、自ノードが終点ノードであると判定された場合に、当該シグナリングメッセージを前記上位隣接ノードに送信するとともに、当該シグナリングメッセージによって特定されるクロスコネクト情報を取得し、取得されたクロスコネクト情報により示される経路をＧＭＰＬＳ管理下に双方向について移行する第九の管理移行工程と、
自ノードより下位に位置する下位隣接ノードから受信されたシグナリングメッセージに基づいて、自ノードが始点ノードであると判定された場合に、当該シグナリングメッセージに付加されている第一のオブジェクト情報および第二のオブジェクト情報を取得するとともに、前記第三の移行予約工程により双方向について移行予約された経路を示す移行対象クロスコネクトをＧＭＰＬＳ管理下に双方向について移行する第十の管理移行工程と、
をさらに含んだことを特徴とする付記１３に記載の伝送方法。
【図面の簡単な説明】
【０１６８】
【図１】実施例１に係る伝送装置の概要および特徴を示す図である。
【図２】実施例１に係る伝送装置の構成を示す図である。
【図３】実施例１に係る既存パス情報ＤＢの例を示す図である。
【図４】実施例１に係るネットワーク構成を示す図である。
【図５】実施例１に係るパスメッセージ送信時の伝送装置ＡのＧＭＰＬＳ管理移行処理を示すフローチャートである。
【図６】実施例１に係る伝送装置Ａがパスメッセージに追加するオブジェクト情報の例を示した図である。
【図７】実施例１に係るパスメッセージ送信時の伝送装置ＣのＧＭＰＬＳ管理移行処理を示すフローチャートである。
【図８】実施例１に係る伝送装置Ｃがパスメッセージに追加するオブジェクト情報の例を示した図である。
【図９】実施例１に係るパスメッセージ受信時の伝送装置ＥのＧＭＰＬＳ管理移行処理を示すフローチャートである。
【図１０】実施例１に係る伝送装置Ｅがリザーブメッセージを送信する場合のオブジェクト情報の例を示した図である。
【図１１】実施例１に係るリザーブメッセージ受信時の伝送装置ＣのＧＭＰＬＳ管理移行処理を示すフローチャートである。
【図１２】実施例１に係るリザーブメッセージ受信時の伝送装置ＡのＧＭＰＬＳ管理移行処理を示すフローチャートである。
【図１３】実施例１に係る各伝送装置間のＧＭＰＬＳ管理移行処理のシーケンスを示す図である。
【図１４】実施例２に係るＧＭＰＬＳ管理移行処理におけるＧＭＰＬＳ管理移行対象を双方向について予約、移行する場合を説明するための図である。
【図１５】伝送プログラムを実行するコンピュータを示す図である。
【図１６】ＧＭＰＬＳによる各装置間のＥｎｄ−ｔｏ−Ｅｎｄの双方向パスの生成シーケンスを示す図である。
【図１７】ＧＭＰＬＳに用いられる一般的なシグナリングメッセージを示す図である。
【図１８】ＧＭＰＬＳに用いられる一般的なシグナリングメッセージの内容を示す図である。
【符号の説明】
【０１６９】
１００  伝送装置
１１０  監視装置
１２０  装置制御ユニット
１２１  既存パス情報ＤＢ
１２２  ユーザＩ／Ｆ部
１２３  ＣＰＵ間通信制御部
１２４  コマンド処理部
１２５  装置制御部
１２６  警報制御部
１３０  通信制御ユニット
１３１  ＣＰＵ間通信制御部
１３２  通信制御部
１３３  ＤＣＣ制御部
１３４  ＬＡＮ制御部
１３５  ＧＭＰＬＳ制御部
１３５ａ  移行予約部
１３５ｂ  メッセージ送受信部
１３５ｃ  管理移行部
１４０  インタフェース・クロスコネクトユニット
１５０  オーバヘッド終端ユニット
【図１】
0005035120.tif 000002
【図２】
0005035120.tif 000003
【図３】
0005035120.tif 000004
【図４】
0005035120.tif 000005
【図５】
0005035120.tif 000006
【図６】
0005035120.tif 000007
【図７】
0005035120.tif 000008
【図８】
0005035120.tif 000009
【図９】
0005035120.tif 000010
【図１０】
0005035120.tif 000011
【図１１】
0005035120.tif 000012
【図１２】
0005035120.tif 000013
【図１３】
0005035120.tif 000014
【図１４】
0005035120.tif 000015
【図１５】
0005035120.tif 000016
【図１６】
0005035120.tif 000017
【図１７】
0005035120.tif 000018
【図１８】
0005035120.tif 000019